(57)【要約】【目的】  本発明は、同軸線路からこれ以外の線路に変化する構成の同軸コネクタにおいて、端子の同軸線路から突出する部分のインピーダンスを低下させる。【構成】  コネクタＣ１は、シェル１００と、端子２００と、これらを保持するボディ３００とを備えている。シェル１００は、略筒状の第１グランド導体部１１０と、そのＹ’方向側の第１、第２グランド部１２０ａ、１２０ｂとを備えている。端子２００の第１部２１０は第１グランド導体部１１０内に略同心状に配置され、端子２００の第２部２２０は第１、第２グランド部１２０ａ、１２０ｂの間に配置され、端子２００の調整部２３１は第１グランド導体部１１０の基端部１１１内に位置する。調整部２３１のＹ−Ｙ’方向の少なくとも一部のＸ−Ｘ’方向の寸法が第１部２１０のＸ−Ｘ’方向の寸法よりも大きい。【選択図】      図４Ａ
2020184458.tif 000002
【特許請求の範囲】
【請求項１】
シェルと、端子と、前記シェルに固定され且つ前記端子を保持する絶縁性を有するボディとを備えており、
前記シェルは、第１方向に延びた略筒状の第１グランド導体部であって、前記第１方向の一方側の基端部を有する前記第１グランド導体部と、
前記第１グランド導体部に対して前記第１方向の一方側に配置された第２グランド導体部であって、前記第１方向に延びた第１グランド部を有する前記第２グランド導体部とを有しており、
前記端子は、前記第１方向に延びており且つ前記第１グランド導体部内に略同心状に配置された第１部と、
前記第１方向に延びており、且つ前記第１部に対して前記第１方向の一方側に配置されると共に、前記第１方向に略直交する第２方向において前記第２グランド導体部の前記第１グランド部に対して間隔をあけて配置された第２部と、
前記第１部と前記第２部との間に設けられたインピーダンス調整部とを有しており、    前記インピーダンス調整部は、第１インピーダンス調整部を有しており、
前記第１インピーダンス調整部は、少なくとも部分的に前記第１グランド導体部の前記基端部内に位置しており、前記第１インピーダンス調整部の前記第１方向の少なくとも一部の直交方向の寸法が、前記第１部の前記直交方向の寸法よりも大きく、前記直交方向は、前記第１方向に略直交している同軸コネクタ。
【請求項２】
請求項１記載の同軸コネクタにおいて、
前記インピーダンス調整部は、前記第１方向の一方側に延びた第２インピーダンス調整部を更に有しており、
前記第２インピーダンス調整部は、前記第２方向において前記第２グランド導体部の前記第１グランド部に対して間隔をあけて配置され、且つ前記第１グランド導体部の前記基端部の近傍に位置しており、
前記直交方向は、前記第２方向又は第３方向であり、前記第３方向は、前記第１方向及び前記第２方向に略直交しており、
前記直交方向が前記第２方向である場合、前記第２インピーダンス調整部の前記第１方向の少なくとも一部の前記第２方向の寸法が、前記第１部の前記第２方向の寸法よりも大きく、
前記直交方向が前記第３方向である場合、前記第２インピーダンス調整部の前記第１方向の少なくとも一部の前記第３方向の寸法が、前記第１部の前記第３方向の寸法よりも大きい同軸コネクタ。
【請求項３】
請求項１又は２記載の同軸コネクタにおいて、
前記第２グランド導体部は、前記第１方向に延びた第２グランド部を更に有しており、前記第１グランド部及び前記第２グランド部は、前記第２方向において間隔をあけて配置されており、
前記端子の前記第２部は、前記第１グランド部と前記第２グランド部との間に前記第１グランド部及び前記第２グランド部に対してそれぞれ間隔をあけて配置されている同軸コネクタ。
【請求項４】
請求項１〜３の何れかに記載の同軸コネクタにおいて、
前記第１インピーダンス調整部は、前記第１方向の他方側の第１端部を有しており、前記第１端部の前記直交方向の寸法が前記第１方向の一方にいくにしたがって漸次拡大している同軸コネクタ。
【請求項５】
請求項４記載の同軸コネクタにおいて、
前記第１インピーダンス調整部の前記第１端部の前記第１方向の一方側の端は、前記第１グランド導体部の前記基端部の前記第１方向の一方側の端面に対して前記第１方向の他方側且つ当該端面の近傍に位置している同軸コネクタ。
【請求項６】
請求項４記載の同軸コネクタにおいて、
前記第１方向において、前記第１インピーダンス調整部の前記第１端部の前記第１方向の一方側の端は、前記第１グランド導体部の前記基端部の前記第１方向の一方側の端面と同じ位置に位置している同軸コネクタ。
【請求項７】
シェルと、端子と、前記シェルに固定され且つ前記端子を保持する絶縁性を有するボディとを備えており、
前記シェルは、第１方向に延びた略筒状の第１グランド導体部であって、前記第１方向の一方側の基端部を有する前記第１グランド導体部と、
前記第１グランド導体部に対して前記第１方向の一方側に配置された第２グランド導体部であって、前記第１方向に延びた第１グランド部を有する前記第２グランド導体部とを有しており、
前記端子は、前記第１方向に延びており且つ前記第１グランド導体部内に略同心状に配置された第１部と、
前記第１方向に延びており、且つ前記第１部に対して前記第１方向の一方側に配置されると共に、前記第１方向に略直交する第２方向において前記第２グランド導体部の前記第１グランド部に対して間隔をあけて配置された第２部と、
前記第１部と前記第２部との間に設けられたインピーダンス調整部とを有しており、    前記インピーダンス調整部は、第２インピーダンス調整部を有しており、
前記第２インピーダンス調整部は、前記第２方向において前記第２グランド導体部の前記第１グランド部に対して間隔をあけて配置され、且つ前記第１グランド導体部の前記基端部の近傍に位置しており、前記第２インピーダンス調整部の前記第１方向の少なくとも一部の前記第２方向の寸法が、前記第１部の前記第２方向の寸法よりも大きい又は前記第２インピーダンス調整部の前記第１方向の少なくとも一部の第３方向の寸法が、前記第１部の前記第３方向の寸法よりも大きく、前記第３方向は、前記第１方向及び前記第２方向に略直交している同軸コネクタ。
【請求項８】
請求項２又は７記載の同軸コネクタにおいて、
前記第２グランド導体部は、前記第１方向に延びた第２グランド部を更に有しており、前記第１グランド部及び前記第２グランド部は、前記第２方向において間隔をあけて配置されており、
前記端子の前記第２部は、前記第１グランド部と前記第２グランド部との間に前記第１グランド部及び前記第２グランド部に対してそれぞれ間隔をあけて配置されており、
前記端子の前記第２インピーダンス調整部は、前記第１グランド部と前記第２グランド部との間に前記第１グランド部及び前記第２グランド部に対してそれぞれ間隔をあけて配置されている同軸コネクタ。
【請求項９】
請求項１、２、３、７又は８の何れかに記載の同軸コネクタにおいて、
前記インピーダンス調整部は、前記第１方向の他方側の第１端部を有しており、前記第１端部の前記第２方向の寸法が前記第１方向の一方にいくにしたがって漸次拡大している同軸コネクタ。
【請求項１０】
請求項１、２、３、７、８又は９の何れかに記載の同軸コネクタにおいて、
前記インピーダンス調整部は、前記第１方向の一方側の第２端部を有しており、前記第２端部の前記第２方向の寸法が前記第１方向の一方にいくにしたがって漸次縮小している同軸コネクタ。
【請求項１１】
請求項３又は８記載の同軸コネクタにおいて、
前記第２グランド導体部は、前記第１方向に延びた第３方向の断面視において略円弧状、略Ｕ字状又は略Ｖ字状であり、且つ前記端子の前記第２部に対して前記第３方向の一方側に間隔をあけて配置された第３グランド部を更に有しており、前記第３方向は、前記第１方向及び前記第２方向に略直交しており、前記第３グランド部は、前記第２方向の一方側の第１端部と、前記第２方向の他方側の第２端部とを有しており、
前記第１グランド部は、前記第３グランド部の前記第１端部から前記第２方向の一方に延びており、前記第２グランド部は、前記第３グランド部の前記第２端部から前記第２方向の他方に延びている同軸コネクタ。
【請求項１２】
請求項１１記載の同軸コネクタにおいて、
前記第１グランド部は、第１ベース板及び第１折り返し板を有しており、
前記第１ベース板は、前記第３グランド部の前記第１端部から前記第２方向の一方に延びており、且つ前記第３方向の他方側の第１面、前記第２方向の他方の第１端及びその反対側の第２端を有しており、
前記第１折り返し板は、前記第１ベース板の前記第２端の少なくとも一部に連接され、前記第３方向の他方側且つ前記第２方向の他方側に折り返されており、前記第１折り返し板は、前記第３方向の他方側の第２面を有しており、前記第１折り返し板の前記第２面の前記第２方向の寸法は、前記第１ベース板の前記第１面の前記第２方向の寸法よりも大きく、
前記第２グランド部は、第２ベース板及び第２折り返し板を有しており、
前記第２ベース板は、前記第３グランド部の前記第２端部から前記第２方向の他方に延びており、且つ前記第３方向の他方側の第１面、前記第２方向の一方の第１端及びその反対側の第２端を有しており、
前記第２折り返し板は、前記第２ベース板の前記第２端の少なくとも一部に連接され、前記第３方向の他方側且つ前記第２方向の一方側に折り返されており、前記第２折り返し板は、前記第３方向の他方側の第２面を有しており、前記第２折り返し板の前記第２面の前記第２方向の寸法は、前記第２ベース板の前記第１面の前記第２方向の寸法よりも大きい同軸コネクタ。
【請求項１３】
請求項３又は８記載の同軸コネクタにおいて、
前記第２グランド導体部は、前記第１方向に延びた第３方向の断面視において略円弧状、略Ｕ字状又は略Ｖ字状であり、前記端子の前記第２部に対して前記第３方向の一方側に間隔をあけて配置された第３グランド部を更に有しており、前記第３方向は、前記第１方向及び前記第２方向に略直交しており、前記第３グランド部は、前記第２方向の一方側の第１端部と、前記第２方向の他方側の第２端部とを有しており、
前記第１グランド部は、前記第３グランド部の前記第１端部から前記第２方向の他方に延びており、前記第２グランド部は、前記第３グランド部の前記第２端部から前記第２方向の一方に延びている同軸コネクタ。
【請求項１４】
請求項１〜１３の何れかに記載の同軸コネクタにおいて、
前記インピーダンス調整部は、前記第２部と前記第２グランド導体部とが互いに近づくように折り曲げられている同軸コネクタ。
【請求項１５】
請求項１〜１４の何れかに記載の同軸コネクタにおいて、
前記端子の前記第２部の前記第１方向の少なくとも一部の前記第２方向の寸法は、前記インピーダンス調整部の前記第２方向の寸法よりも小さい同軸コネクタ。
【請求項１６】
請求項１１〜１３の何れかに記載の同軸コネクタにおいて、
前記第３グランド部には、当該第３グランド部を前記第３方向において貫通した貫通孔が設けられている同軸コネクタ。
【請求項１７】
請求項３、８、１１、１２又は１３記載の同軸コネクタである第１コネクタと、
第２コネクタと、
電子部品と、
前記第２コネクタ及び前記電子部品が実装された基板とを備えており、
前記第２コネクタは、前記第１コネクタの前記端子の前記第２部に前記第３方向の他方側から弾性接触する信号端子と、
前記第１コネクタの前記シェルの前記第１グランド部に前記第３方向の他方側から弾性接触する第１グランド端子と、
前記第１コネクタの前記シェルの前記第２グランド部に前記第３方向の他方側から弾性接触する第２グランド端子とを有している電子部品モジュール。
【請求項１８】
請求項１７記載の電子部品モジュールにおいて、
前記第１コネクタ、前記第２コネクタ、前記電子部品及び前記基板を収容する筐体を更に備えており、
前記第１コネクタは、前記筐体に固定されており、且つ前記電子部品及び前記基板の少なくとも一方も前記筐体に固定されている電子部品モジュール。
【発明の詳細な説明】
【技術分野】
【０００１】
本発明は、同軸コネクタ及びこれを備えた電子部品モジュールに関する。
【背景技術】
【０００２】
下記特許文献１には従来の同軸コネクタが記載されている。
【０００３】
同軸コネクタは、金属シェルと、端子と、絶縁ボディとを備えている。金属シェルは、円筒状のグランド導体部と、一対のグランド板と、グランド導体部と一対のグランド板とを連結する連結部とを有している。端子は、前半部及び後半部を有している。端子の前半部がグランド導体部内に同心円状に配置されている。この端子の前半部及びグランド導体部が同軸線路を構成している。端子の後半部は、一対のグランド板の間にグランド板から間隔をあけて配置されている。この端子の後半部及び一対のグランド板が、コプレーナ線路を構成している。絶縁ボディは、端子の後半部及び一対のグランド板の長さ方向の一部を保持している。
【先行技術文献】
【特許文献】
【０００４】
【特許文献１】特開平０３−２６６３８３号公報
【発明の概要】
【発明が解決しようとする課題】
【０００５】
上記同軸コネクタにおいて、端子の前半部は、円筒状のグランド導体部内に配置されているが、端子の後半部は、その両側に一対のグランド板が配置されるだけであるため、端子の後半部のグランド導体部から突出した直後の部分、すなわち、前半部の直後の部分のインピーダンスが高くなる。
【０００６】
本発明は、同軸線路から同軸線路以外の線路に変化する構成の同軸コネクタにおいて、端子の同軸線路のグランド導体部から突出する直後部のインピーダンスを低下させることができる同軸コネクタ及びこれを用いた電子部品モジュールを提供することにある。
【課題を解決するための手段】
【０００７】
上記課題を解決するために、本発明のコネクタは、シェルと、端子と、シェルに固定され且つ端子を保持する絶縁性を有するボディとを備えている。シェルは、略筒状の第１グランド導体部と、第２グランド導体部とを有している。第１グランド導体部は第１方向に延びており、且つ第１方向の一方側の基端部を有している。第２グランド導体部は、第１グランド導体部に対して第１方向の一方側に配置されている。第２グランド導体部は、第１方向に延びた第１グランド部を有している。端子は、第１部と、第２部と、インピーダンス調整部とを有している。第１部は、第１方向に延びており且つ第１グランド導体部内に略同心状に配置されている。第２部は、第１方向に延びており、且つ第１部に対して第１方向の一方側に配置されると共に、第１方向に略直交する第２方向において第２グランド導体部の第１グランド部に対して間隔をあけて配置されている。インピーダンス調整部は、第１部と第２部との間に設けられている。インピーダンス調整部は、第１インピーダンス調整部及び第２インピーダンス調整部の少なくとも一方を有している。
【０００８】
第１インピーダンス調整部は、少なくとも部分的に第１グランド導体部の基端部内に位置している。第１インピーダンス調整部の第１方向の少なくとも一部の直交方向の寸法が、第１部の直交方向の寸法よりも大きくなっている。なお、直交方向は、第１方向に略直交している。
【０００９】
第２インピーダンス調整部は、第２方向において第２グランド導体部の第１グランド部に対して間隔をあけて配置され、且つ第１グランド導体部の基端部の境界の近傍に位置している。第２インピーダンス調整部の第１方向の少なくとも一部の第２方向の寸法が、第１部の第２方向の寸法よりも大きい又は第２インピーダンス調整部の第３方向の寸法が、第１部の第３方向の寸法よりも大きくなっている。なお、第３方向は、第１方向及び第２方向に略直交していると良い。
【００１０】
上記何れかの態様の同軸コネクタによる場合、端子の第１部は、略筒状の第１グランド導体部内に配置されている一方で、端子の第２部は、第２方向において第２グランド導体部の第１グランド部に対して間隔をあけて配置されている。これが、端子の第１グランド導体部から第１方向の一方側に突出した直後の部分（以下、直後部と称する。）のインピーダンスが高くなる要因となるが、以下の通り、端子の直後部のインピーダンスを低下させることができる。
（１）端子のインピーダンス調整部が第２インピーダンス調整部を有さず、第１インピーダンス調整部を有している場合、第１インピーダンス調整部は、第１グランド導体部の基端部内に位置しており、端子の直後部の直前に設けられている。この第１インピーダンス調整部の直交方向の寸法が、第１部の直交方向の寸法よりも大きいため、端子の直後部の直前の第１インピーダンス調整部のインピーダンスが低下し、これに伴って、端子の直後部のインピーダンスも低下させることができる。
（２）端子のインピーダンス調整部が第１インピーダンス調整部を有さず、第２インピーダンス調整部を有している場合、第２インピーダンス調整部は、第２方向において第２グランド導体部の第１グランド部に対して間隔をあけて配置され、且つ第１グランド導体部の基端部の近傍に位置しているため、端子の直後部を有する。第２インピーダンス調整部の第２方向の寸法が、第１部の第２方向の寸法よりも大きい又は第２インピーダンス調整部の第３方向の寸法が、第１部の第３方向の寸法よりも大きいため、直後部を有する第２インピーダンス調整部のインピーダンスを低下させることができる。
（３）端子のインピーダンス調整部が第１インピーダンス調整部及び第２インピーダンス調整部の双方を有している場合、直交方向は、第２方向又は第３方向とすると良い。直交方向が第２方向である場合、第２インピーダンス調整部の第１方向の少なくとも一部の第２方向の寸法が、第１部の前記第２方向の寸法よりも大きくすると良い。直交方向が第３方向である場合、第２インピーダンス調整部の第１方向の少なくとも一部の第３方向の寸法が、第１部の第３方向の寸法よりも大きくすると良い。この場合、上記（１）及び（２）の通り、端子の直後部のインピーダンスを低下させることができる。
【００１１】
第２グランド導体部は、第１方向に延びた第２グランド部を更に有する構成とすることが可能である。第１グランド部及び第２グランド部は、第２方向において間隔をあけて配置された構成とすることが可能である。端子の第２部は、第１グランド部と第２グランド部との間に第１グランド部及び第２グランド部に対してそれぞれ間隔をあけて配置された構成とすることが可能である。
【００１２】
このような態様の同軸コネクタによる場合、端子の第２部の第２方向の両側に、第１、第２グランド部が配置されているので、端子の第２部のインピーダンスを低下させることができる。
【００１３】
端子のインピーダンス調整部が第１インピーダンス調整部を有している場合、第１インピーダンス調整部の第１方向の他方側の第１端部の直交方向の寸法が第１方向の一方にいくにしたがって漸次拡大していても良い。この第１インピーダンス調整部の第１端部の第１方向の一方側の端は、第１グランド導体部の基端部の第１方向の一方側の端面に対して第１方向の他方側且つ当該端面の近傍に位置していても良い。又は、第１方向において、この第１インピーダンス調整部の第１端部の第１方向の一方側の端は、第１グランド導体部の基端部の第１方向の一方側の端面と同じ位置に位置していても良い。
【００１４】
端子の上記何れかの態様のインピーダンス調整部が第１方向の他方側の第１端部を有する場合、この第１端部の第２方向の寸法は第１方向の一方にいくにしたがって漸次拡大していても良い。端子の上記何れかの態様のインピーダンス調整部が第１方向の一方側の第２端部を有する場合、この第２端部の第２方向の寸法は第１方向の一方にいくにしたがって漸次縮小していても良い。
【００１５】
端子のインピーダンス調整部が第２インピーダンス調整部を有している場合、第２インピーダンス調整部は、第１グランド部と第２グランド部との間に第１グランド部及び第２グランド部に対してそれぞれ間隔をあけて配置された構成とすることが可能である。
【００１６】
このような態様の同軸コネクタによる場合、端子の第２インピーダンス調整部の第２方向の両側に、第１、第２グランド部が配置されているので、端子の第２インピーダンス調整部のインピーダンスを更に低下させることができる。
【００１７】
第２グランド導体部は、第３グランド部を更に有する構成とすることが可能である。第３グランド部は、第１方向に延びた第３方向の断面視において略円弧状、略Ｕ字状又は略Ｖ字状であり、且つ端子の第２部に対して第３方向の一方側に間隔をあけて配置された構成とすることが可能である。第３グランド部は、第２方向の一方側の第１端部と、第２方向の他方側の第２端部とを有する構成とすることが可能である。第１グランド部は、第３グランド部の第１端部から第２方向の一方に延びており、第２グランド部は、第３グランド部の第２端部から第２方向の他方に延びた構成とすることが可能である。又は、第１グランド部は、第３グランド部の第１端部から第２方向の他方に延びており、第２グランド部は、第３グランド部の第２端部から第２方向の一方に延びた構成とすることが可能である。
【００１８】
何れの態様の同軸コネクタであっても、第３グランド部が端子の第２部に対して第３方向の一方側に間隔をあけて配置されているので、端子の第２部のインピーダンスを低下させることができる。
【００１９】
第１グランド部は、第１ベース板及び第１折り返し板を有する構成とすることが可能である。第１ベース板は、第３グランド部の第１端部から第２方向の一方に延びており、且つ第３方向の他方側の第１面、第２方向の他方の第１端及びその反対側の第２端を有する構成とすることが可能である。第１折り返し板は、第１ベース板の第２端の少なくとも一部に連接され、第３方向の他方側且つ第２方向の他方側に折り返された構成とすることが可能である。第１折り返し板は、第３方向の他方側の第２面を有する構成とすることが可能である。第１折り返し板の第２面の第２方向の寸法は、第１ベース板の第１面の第２方向の寸法よりも大きくすることが可能である。第２グランド部は、第２ベース板及び第２折り返し板を有する構成とすることが可能である。第２ベース板は、第３グランド部の第２端部から第２方向の他方に延びており、且つ第３方向の他方側の第１面、第２方向の一方の第１端及びその反対側の第２端を有する構成とすることが可能である。第２折り返し板は、第２ベース板の第２端の少なくとも一部に連接され、第３方向の他方側且つ第２方向の一方側に折り返された構成とすることが可能である。第２折り返し板は、第３方向の他方側の第２面を有する構成とすることが可能である。第２折り返し板の第２面の第２方向の寸法は、第２ベース板の第１面の第２方向の寸法よりも大きくすることが可能である。
【００２０】
インピーダンス調整部は、第２部と第２グランド導体部とが近づくように折り曲げられた構成とすることが可能である。例えば、第３グランド部が設けられていない場合、インピーダンス調整部が第２方向の一方側に折り曲げられ、端子の第２部と第２グランド導体部の第１グランド部との距離を近くすることができる。第３グランド部が設けられている場合、インピーダンス調整部は、第３方向の一方側に折り曲げられ、第２部と第２グランド導体部の第３グランド部との距離を近くすることができる。何れの場合も、第２部と第２グランド導体部との距離が近くなるので、端子の第２部のインピーダンスを更に低下させることができる。
【００２１】
端子の第２部の第１方向における少なくとも一部の第２方向の寸法は、第１インピーダンス調整部及び第２インピーダンス調整部の少なくとも一方の第２方向の寸法よりも小さくすることが可能である。
【００２２】
第３グランド部には、当該第３グランド部を第３方向において貫通した貫通孔が設けられた構成とすることが可能である。このような態様の同軸コネクタによる場合、端子の第２部の貫通孔に対して第３方向に間隔をあけて配置される部分のインピーダンスを低下させることができる。
【００２３】
本発明の一態様の電子部品モジュールは、上記何れかの態様の同軸コネクタである第１コネクタと、第２コネクタと、電子部品と、第２コネクタ及び電子部品が実装された基板とを備えている。第２コネクタは、第１コネクタの端子の第２部に第３方向の他方側から弾性接触する信号端子と、シェルの第１グランド部に第３方向の他方側から弾性接触する第１グランド端子と、シェルの第２グランド部に第３方向の他方側から弾性接触する第２グランド端子とを有している。
【００２４】
上記電子部品モジュールは、第１コネクタ、第２コネクタ、電子部品及び基板を収容する筐体を更に備えた構成とすることが可能である。この場合、第１コネクタは、筐体に固定された構成とすることが可能である。電子部品及び基板の少なくとも一方も筐体に固定された構成とすることが可能である。
【図面の簡単な説明】
【００２５】
【図１Ａ】本発明の実施例１に係る同軸コネクタの正面、平面及び右側面から表した斜視図である。
【図１Ｂ】前記同軸コネクタの背面、平面及び左側面から表した斜視図である。
【図１Ｃ】前記同軸コネクタの正面、底面及び左側面から表した斜視図である。
【図２Ａ】前記同軸コネクタの図１Ａ中の２Ａ−２Ａ断面図である。
【図２Ｂ】前記同軸コネクタの図１Ａ中の２Ｂ−２Ｂ断面図である。
【図２Ｃ】前記同軸コネクタの図２Ａ中の２Ｃ−２Ｃ断面図である。
【図２Ｄ】前記同軸コネクタの図２Ｂ中の２Ｄ−２Ｄ断面図である。
【図２Ｅ】前記同軸コネクタの図２Ｂ中の２Ｅ−２Ｅ断面図である。
【図３Ａ】前記同軸コネクタの正面、平面及び右側面から表した分解斜視図である。
【図３Ｂ】前記同軸コネクタの背面、底面及び右側面から表した分解斜視図である。
【図４Ａ】前記同軸コネクタのシェルと端子との関係を示す平面図であって、前記シェルを破線で、前記端子を実線で示した図である。
【図４Ｂ】前記同軸コネクタのシェルと端子との関係を示す側面図であって、前記シェルを破線で、前記端子を実線で示した図である。
【図５Ａ】実施例１の前記同軸コネクタの第１設計変更例のシェルと端子との関係を示す平面図であって、前記シェルを破線で、前記端子を実線で示した図である。
【図５Ｂ】前記第１設計変更例の同軸コネクタのシェルと端子との関係を示す側面図であって、前記シェルを破線で、前記端子を実線で示した図である。
【図６】本発明の実施例１に係る電子部品モジュールの概略的断面図である。
【図７】前記電子部品モジュールの基板及び第２コネクタの概略的斜視図である。
【図８Ａ】本発明の実施例２に係る同軸コネクタにおけるシェルと端子との関係を示す平面図であって、前記シェルを破線で、前記端子を実線で示した図である。
【図８Ｂ】実施例２の同軸コネクタの第１設計変更例のシェルと端子との関係を示す平面図であって、前記シェルを破線で、前記端子を実線で示した図である。
【図９Ａ】本発明の実施例３に係る同軸コネクタにおけるシェルと端子との関係を示す平面図であって、前記シェルを破線で、前記端子を実線で示した図である。
【図９Ｂ】実施例３の同軸コネクタの第１設計変更例のシェルと端子との関係を示す平面図であって、前記シェルを破線で、前記端子を実線で示した図である。
【図１０Ａ】実施例１〜３の同軸コネクタの第２設計変更例を示す図２Ａに対応する断面図である。
【図１０Ｂ】前記第２設計変型例の同軸コネクタのシェルと端子との関係を示す平面図であって、前記シェルを破線で、前記端子を実線で示した図である。
【図１１Ａ】実施例１〜３の同軸コネクタの第３設計変更例を示す図２Ａに対応する断面図である。
【図１１Ｂ】前記第３設計変更例の同軸コネクタのシェルと端子との関係を示す平面図であって、前記シェルを破線で、前記端子を実線で示した図である。
【発明を実施するための形態】
【００２６】
以下、本発明の種々の実施例及び変形例について説明する。なお、後述する実施例及び設計変更例の各要素は、互いに矛盾しない限り、相互に組み合わせることが可能であることに留意されたい。
【実施例１】
【００２７】
以下、本発明の実施例１及びその第１設計変更例を含む複数の実施例に係る同軸コネクタＣ１について、図１Ａ〜図４Ｂを参照しつつ説明する。図１Ａ〜図４Ｂには、実施例１に係る同軸コネクタＣ１が示されている。図５Ａ及び図５Ｂには、実施例１の同軸コネクタＣ１の第１設計変形例が示されている。なお、図２Ａ〜図２Ｃ及び図３Ａ〜図４Ａに示されるＹ−Ｙ’方向は、特許請求の範囲の第１方向に相当している。Ｙ−Ｙ’方向は、Ｙ方向及びＹ’方向を含んでおり、Ｙ’方向が第１方向の一方、Ｙ方向が第１方向の他方に相当する。図２Ｂ〜図４Ａに示されるＸ−Ｘ’方向は、特許請求の範囲の第２方向に相当し且つＹ−Ｙ’方向に略直交している。Ｘ−Ｘ’方向は、Ｘ方向及びＸ’方向を含んでおり、Ｘ方向が第２方向の一方、Ｘ’方向が第２方向の他方に相当する。図２Ａ、図２Ｃ及び図２Ｄ〜図３Ｂに示されるＺ−Ｚ’方向は、特許請求の範囲の第３方向に相当し且つＹ−Ｙ’方向及びＸ−Ｘ’方向に略直交している。Ｚ−Ｚ’方向は、Ｚ方向及びＺ’方向を含んでおり、Ｚ’方向が第３方向の一方、Ｚ方向が第３方向の他方に相当する。
【００２８】
同軸コネクタＣ１は、導電性を有するシェル１００を備えている。シェル１００は、プレス成形された金属板で構成されていても良いし、内面及び／又は外面に金属箔が蒸着された樹脂で構成されていても良いし、鋳造された金属等の導電体で構成されていても良いし、又は３Ｄプリンタによって形成された導体で構成されていても良い。シェル１００は、略筒状の第１グランド導体部１１０と、第２グランド導体部１２０とを有している。
【００２９】
第１グランド導体部１１０はＹ−Ｙ’方向に延びている。このようにＹ−Ｙ’方向は、第１グランド導体部１１０の略筒形状の軸方向にも相当する。なお、本発明における略筒状とは、円筒（図１Ａ〜図５Ｂ参照）、多角筒、Ｙ方向の端からＹ’の端にかけて切り欠かれた略円筒（Ｚ−Ｚ’方向における断面略Ｃ字状）及びＹ方向の端からＹ’の端にかけて切り欠かれた略多角筒（Ｚ−Ｚ’方向における角張った断面略Ｃ字状）を含むものとする。第１グランド導体部１１０は、Ｙ方向側の先端部と、Ｙ’方向側の基端部１１１を有している。基端部１１１は、Ｙ’方向の端面を有している。基端部１１１のＹ’方向の端面は、略環状（円環状、多角環状、略Ｃ字状又は角張った略Ｃ字状）であって、Ｚ’方向側の連接部を有している。この連接部は、前記略環状の一部の形状（例えば、円弧状、平板状、略Ｕ字状）をなしている。
【００３０】
第２グランド導体部１２０は、第１グランド導体部１１０に対してＹ’方向側に配置されており、且つ第１グランド部１２０ａ（以下、単にグランド部１２０ａとも称する。）及び第２グランド部１２０ｂ（以下、単にグランド部１２０ｂとも称する。）を有している。グランド部１２０ａは、Ｙ−Ｙ’方向及びＸ−Ｘ’方向に延びた第１ベース板１２１ａ（以下、単にベース板１２１ａとも称する。）を有し、グランド部１２０ｂは、Ｙ−Ｙ’方向及びＸ−Ｘ’方向に延びた第２ベース板１２１ｂ（以下、単にベース板１２１ｂとも称する。）を有している。ベース板１２１ａとベース板１２１ｂは、Ｘ−Ｘ’方向に間隔をあけて配置されている。ベース板１２１ａは、Ｘ’方向の第１端（内端）と、Ｘ方向の第２端（外端）と、Ｚ方向側の第１面１２１ａ１とを有し、ベース板１２１ｂは、Ｘ方向の第１端（内端）と、Ｘ’方向の第２端（外端）と、Ｚ方向側の第１面１２１ｂ１とを有している。ベース板１２１ａの第１面１２１ａ１とベース板１２１ｂの第１面１２１ｂ１のＺ−Ｚ’方向における高さ位置は略同じである。ベース板１２１ａ及びベース板１２１ｂには、それぞれをＺ−Ｚ’方向に貫通する固定孔（図３Ａ〜図４Ａ参照）が設けられていても良いが、設けられていなくても良い。
【００３１】
グランド部１２０ａは第１折り返し板１２２ａ（以下、単に折り返し板１２２ａとも称する。）を更に有し、グランド部１２０ｂは折り返し板１２２ｂを更に有する構成とすることが可能である。折り返し板１２２ａは、ベース板１２１ａの第２端の少なくとも一部に連接され、Ｚ方向側且つＸ’方向側に折り返されている。折り返し板１２２ａは、Ｙ−Ｙ’方向及びＸ−Ｘ’方向に延びており、且つベース板１２１ａのＺ方向側の第１面１２１ａ１上に配置されている。折り返し板１２２ｂは、ベース板１２１ｂの第２端の少なくとも一部に連接され、Ｚ方向側且つＸ方向側に折り返されている。折り返し板１２２ｂは、Ｙ−Ｙ’方向及びＸ−Ｘ’方向に延びており、且つベース板１２１ｂのＺ方向側の第１面１２１ｂ１上に配置されている。折り返し板１２２ａと折り返し板１２２ｂは、Ｘ−Ｘ’方向に間隔をあけて配置されている。
【００３２】
折り返し板１２２ａのＹ−Ｙ’方向の寸法は、ベース板１２１ａのＹ−Ｙ’方向の寸法よりも小さくすることが可能であり、折り返し板１２２ｂのＹ−Ｙ’方向の寸法は、ベース板１２１ｂのＹ−Ｙ’方向の寸法よりも小さくすることが可能である。この場合、折り返し板１２２ａは、ベース板１２１ａの第２端のＹ−Ｙ’方向の任意の一部に連接され、折り返し板１２２ｂは、ベース板１２１ｂの第２端のＹ−Ｙ’方向の任意の一部に連接されている。なお、図１Ａ〜図５Ｂでは、折り返し板１２２ａは、ベース板１２１ａの第２端のＹ’方向側の端部に連接されており、折り返し板１２２ｂは、ベース板１２１ｂの第２端のＹ’方向側の端部に連接されている。
又は、折り返し板１２２ａのＹ−Ｙ’方向の寸法は、ベース板１２１ａのＹ−Ｙ’方向の寸法と略同じにすることが可能であり、折り返し板１２２ｂのＹ−Ｙ’方向の寸法は、ベース板１２１ｂのＹ−Ｙ’方向の寸法と略同じにすることが可能である。この場合、折り返し板１２２ａは、ベース板１２１ａの第２端のＹ−Ｙ’方向の略全領域に連接され、折り返し板１２２ｂは、ベース板１２１ｂの第２端のＹ−Ｙ’方向の略全領域に連接されている。
【００３３】
折り返し板１２２ａ及び折り返し板１２２ｂにも、それぞれをＺ−Ｚ’方向に貫通する図示しない固定孔が設けられていても良い。この場合、折り返し板１２２ａの固定孔とベース板１２１ａの固定孔が互いに連通し、折り返し板１２２ｂの固定孔とベース板１２１ｂの固定孔が互いに連通すると良い。以下、説明の便宜上、ベース板１２１ａの固定孔、又は、ベース板１２１ａの固定孔及び折り返し板１２２ａの固定孔を、グランド部１２０ａの固定孔とも称し、ベース板１２１ｂの固定孔、又は、ベース板１２１ｂの固定孔及び折り返し板１２２ｂの固定孔を、グランド部１２０ｂの固定孔とも称する。なお、折り返し板１２２ａ及び折り返し板１２２ｂの固定孔は省略可能である。
【００３４】
折り返し板１２２ａは、Ｚ方向側の第２面１２２ａ１を有し、折り返し板１２２ｂは、Ｚ方向側の第２面１２２ｂ１を有している。折り返し板１２２ａの第２面１２２ａ１と折り返し板１２２ｂの第２面１２２ｂ１のＺ−Ｚ’方向における高さ位置は略同じである。折り返し板１２２ａの第２面１２２ａ１のＸ−Ｘ’方向の寸法は、ベース板１２１ａの第１面１２１ａ１のＸ−Ｘ’方向の寸法よりも大きく、且つ、折り返し板１２２ｂの第２面１２２ｂ１のＸ−Ｘ’方向の寸法は、ベース板１２１ｂの第１面１２１ｂ１のＸ−Ｘ’方向の寸法よりも大きくすることが可能である（図２Ｅ参照）。又は、折り返し板１２２ａの第２面１２２ａ１のＸ−Ｘ’方向の寸法は、ベース板１２１ａの第１面１２１ａ１のＸ−Ｘ’方向の寸法よりも小さく、且つ、折り返し板１２２ｂの第２面１２２ｂ１のＸ−Ｘ’方向の寸法は、ベース板１２１ｂの第１面１２１ｂ１のＸ−Ｘ’方向の寸法よりも小さくすることが可能である。又は、折り返し板１２２ａの第２面１２２ａ１のＸ−Ｘ’方向の寸法は、ベース板１２１ａの第１面１２１ａ１のＸ−Ｘ’方向の寸法と同じであり、且つ、折り返し板１２２ｂの第２面１２２ｂ１のＸ−Ｘ’方向の寸法は、ベース板１２１ｂの第１面１２１ｂ１のＸ−Ｘ’方向の寸法と同じにすることが可能である。なお、折り返し板１２２ａ及び折り返し板１２２ｂは省略可能である。
【００３５】
第２グランド導体部１２０は、第３グランド部１２０ｃ（以下、単にグランド部１２０ｃとも称する。）を更に有していても良い。グランド部１２０ｃは、Ｙ−Ｙ’方向に延びた板である。グランド部１２０ｃのＺ−Ｚ’方向における断面形状は、第１グランド導体部１１０のＹ’方向の端面の連接部のＺ−Ｚ’方向の断面形状と同じ又はその相似形とすることが可能であるが、当該連接部の断面形状と異なる形状であっても良い。例えば、グランド部１２０ｃのＺ−Ｚ’方向における断面形状は、略円弧状（図２Ｄ、図３Ａ及び図３Ｂ参照）、略Ｕ字状又は略Ｖ字状とすることが可能である。
【００３６】
グランド部１２０ｃは、Ｘ方向側の第１端部１２１ｃと、Ｘ’方向側の第２端部１２２ｃとを有している。グランド部１２０ｃの第１端部１２１ｃからグランド部１２０ａのベース板１２１ａがＸ方向に延びており、グランド部１２０ｃの第２端部１２２ｃからグランド部１２０ｂのベース板１２１ｂがＸ’方向に延びていても良い（図２Ｄ〜図４Ａ及び図５Ａ参照）。この場合において、グランド部１２０ｃのＺ−Ｚ’方向の断面形状が上記略円弧状である場合、グランド部１２０ｃの第１端部１２１ｃがＺ方向に延びつつＸ方向に延びた円弧状となり、グランド部１２０ｃの第２端部１２２ｃがＺ方向に延びつつＸ’方向に延びた円弧状となる。
【００３７】
又は、グランド部１２０ｃの第１端部１２１ｃからグランド部１２０ａのベース板１２１ａがＸ’方向に延びており、グランド部１２０ｃの第２端部１２２ｃからグランド部１２０ｂのベース板１２１ｂがＸ方向に延びていても良い。この場合、折り返し板１２２ａ及び折り返し板１２２ｂは省略されていても良いし、折り返し板１２２ａは、ベース板１２１ａの第１端の少なくとも一部に連接されており且つＺ方向側且つＸ方向側に折り返され、折り返し板１２２ｂは、ベース板１２１ｂの第１端の少なくとも一部に連接されており且つＺ方向側且つＸ’方向側に折り返されていても良い。これ以外は、折り返し板１２２ａ及び折り返し板１２２ｂは上記何れかの態様と同様の構成とすることが可能である。
【００３８】
グランド部１２０ｃには、当該グランド部１２０ｃをＺ−Ｚ’方向において貫通した貫通孔１２３ｃが設けられた構成とすることが可能である。なお、貫通孔１２３ｃは省略可能である。
【００３９】
シェル１００は少なくとも一つの連結部１３０を更に有していても良い。少なくとも一つの連結部１３０は、第１グランド導体部１１０と第２グランド導体部１２０との間を連結している。少なくとも一つの連結部１３０は、例えば、下記（１）〜（３）の何れかの構成とすることが可能である。
（１）グランド部１２０ｃが設けられている場合、連結部１３０は、一つであって、第１グランド導体部１１０の基端部１１１のＹ’方向の端面の連接部から第２グランド導体部１２０のグランド部１２０ｃへ延びた一つの板である（図３Ａ〜図５Ｂ参照）。この場合、連結部１３０のＺ−Ｚ’方向における断面形状は、略円弧状（図３Ａ〜図３Ｂ参照）、略Ｕ字状又は略Ｖ字状とすることができ、第１グランド導体部１１０のＹ’方向の端面の連接部の形状と同じ又はその相似形とすることが可能であるが、当該連接部の形状と全く異なる形状であっても良い。
（２）グランド部１２０ｃが設けられていない場合において、連結部１３０は、一つであって、第１グランド導体部１１０の基端部１１１のＹ’方向の端面のから延びた後、二股状に分かれ、その一方がグランド部１２０ａへ延び、他方がグランド部１２０ｂへ延びている。
（３）グランド部１２０ｃが設けられていない場合において、連結部１３０は、二つであって、その一方が第１グランド導体部１１０の基端部１１１のＹ’方向の端面のから第２グランド導体部１２０のグランド部１２０ａへ延びる第１板であり、他方が第１グランド導体部１１０からグランド部１２０ｂへ延びる第２板である。
【００４０】
なお、少なくとも一つの連結部１３０は省略可能である。少なくとも一つの連結部１３０が省略され且つグランド部１２０ｃが設けられている場合、グランド部１２０ｃが第１グランド導体部１１０からＹ’方向に延びた構成とすることが可能である。少なくとも一つの連結部１３０が省略され且つグランド部１２０ｃが設けられていない場合、グランド部１２０ａ及びグランド部１２０ｂが第１グランド導体部１１０の基端部１１１のＹ’方向の端面からＹ’方向に延びた構成とすることが可能である。
【００４１】
同軸コネクタＣ１は、端子２００を更に備えている。端子２００は、プレス成形された金属板など構成されていても良いし、３Ｄプリンタによって形成された導体で構成されていても良い。端子２００は第１部２１０、第２部２２０及びインピーダンス調整部２３０を有している。
【００４２】
第１部２１０はＹ−Ｙ’方向に延びた板体又は柱体である。第１部２１０は、Ｙ方向側の先端部及びＹ’方向側の基端部を有する。第１部２１０の先端部及び基端部のＺ−Ｚ’方向の断面形状は、同じ円形又は多角形とすることが可能であるし、異なる形状とすることも可能である。図１Ａ〜図５Ｂでは、第１部２１０の先端部の断面形状は、円形であり、第１部２１０の基端部の断面形状は、矩形である。第１部２１０の外形寸法は、第１グランド導体部１１０の内形寸法よりも小さい。第１部２１０は、第１グランド導体部１１０内に略同心状に配置されている。これにより、第１部２１０と第１グランド導体部１１０とが、同軸線路を構成している。本発明における略同心状とは、端子の第１部の中心軸と第１グランド導体部１１０の中心軸とが略一致していれば良い。第１部２１０のＺ−Ｚ’方向の寸法は、第２部２２０のＺ−Ｚ’方向の寸法と同じにすると良いが、これに限定されるものではない。
【００４３】
第２部２２０は、Ｙ−Ｙ’方向に延びた板体又は柱体であって、第１部２１０に対してＹ’方向側に位置している。第２部２２０は、Ｘ−Ｘ’方向においてグランド部１２０ａとグランド部１２０ｂとの間に、グランド部１２０ａ及びグランド部１２０ｂに対してそれぞれ間隔あけて配置されている。具体的には、第２部２２０は、以下の何れかの通りに配置されている。
折り返し板１２２ａ及び折り返し板１２２ｂが設けられている場合、第２部２２０は、Ｘ−Ｘ’方向において、ベース板１２１ａとベース板１２１ｂとの間及び折り返し板１２２ａと折り返し板１２２ｂとの間の少なくとも一方の間に配置されている。第２部２２０は、ベース板１２１ａ及び折り返し板１２２ａの少なくとも一方に対してＸ’方向側に間隔をあけて位置しており、且つベース板１２１ｂ及び折り返し板１２２ｂの少なくとも一方に対してＸ方向側に間隔をあけて位置している。この場合、第２部２２０、ベース板１２１ａ及びベース板１２１ｂ、又は、第２部２２０、折り返し板１２２ａ及び折り返し板１２２ｂ、又は、第２部２２０、ベース板１２１ａ、ベース板１２１ｂ、折り返し板１２２ａ及び折り返し板１２２ｂが、コプレーナ線路を構成している。
折り返し板１２２ａ及び折り返し板１２２ｂが設けられていない場合、第２部２２０は、Ｘ−Ｘ’方向において、ベース板１２１ａとベース板１２１ｂとの間に、ベース板１２１ａ及びベース板１２１ｂに対してそれぞれＸ−Ｘ’方向に間隔をあけて配置されている。この場合、第２部２２０、ベース板１２１ａ及びベース板１２１ｂが、コプレーナ線路を構成している。
【００４４】
グランド部１２０ｃが設けられている場合、第２部２２０は、グランド部１２０ｃに対してＺ方向側に間隔をあけて配置されている。この場合、第２部２２０及びグランド部１２０ｃが、マイクロストリップ線路を構成している。少なくとも一つの連結部１３０が上記（１）の構成である場合、第２部２２０は、連結部１３０及びグランド部１２０ｃに対してＺ方向側に間隔をあけて配置されている。この場合、第２部２２０、少なくとも一つの連結部１３０及びグランド部１２０ｃが、マイクロストリップ線路を構成している。
【００４５】
第２部２２０のＸ−Ｘ’方向の寸法は、Ｘ−Ｘ’方向におけるグランド部１２０ａからグランド部１２０ｂまでの距離よりも小さい。第２部２２０のＸ−Ｘ’方向の寸法は、そのＹ−Ｙ’方向の全長においてＸ−Ｘ’方向の寸法が略均一とすることが可能である。又は、第２部２２０は、幅狭部２２１及び幅広部２２２を有する構成とすることが可能である。幅狭部２２１は、第２部２２０のＹ−Ｙ’方向における任意の一部である。幅広部２２２は、第２部２２０のＹ−Ｙ’方向における幅狭部２２１を除く部分である。幅広部２２２のＸ−Ｘ’方向の寸法は、幅広部２２２のＸ−Ｘ’方向の寸法よりも小さい。なお、図１Ａ〜図５Ｂでは、幅狭部２２１は、第２部２２０のＹ方向側の部分であり、幅広部２２２は、第２部２２０のＹ’方向側の部分である。
【００４６】
折り返し板１２２ａ及び折り返し板１２２ｂが設けられている場合（図２Ｅ参照）、第２部２２０のＺ−Ｚ’方向の寸法は、グランド部１２０ａの折り返し板１２２ａの第２面１２２ａ１からベース板１２１ａのＺ’方向側の面までの距離及びグランド部１２０ｂの折り返し板１２２ｂの第２面１２２ｂ１からベース板１２１ｂのＺ’方向側の面までの距離と略同じとしても良いし、小さくても良いし、大きくても良い。
折り返し板１２２ａ及び折り返し板１２２ｂが設けられていない場合（図示なし）、第２部２２０のＺ−Ｚ’方向の寸法は、グランド部１２０ａのベース板１２１ａ及びグランド部１２０ｂのベース板１２１ｂのＺ−Ｚ’方向の寸法と略同じとしても良いし、小さくても良いし、大きくても良い。
【００４７】
第２部２２０はＺ方向側の面を有している。折り返し板１２２ａ及び折り返し板１２２ｂが設けられている場合、第２部２２０のＺ方向側の面と、折り返し板１２２ａの第２面１２２ａ１と、折り返し板１２２ｂの第２面１２２ｂ１とがＺ−Ｚ’方向において同じ高さ位置に位置していても良い（図２Ｅ参照）。
折り返し板１２２ａ及び折り返し板１２２ｂの有無に関わらず、第２部２２０のＺ方向側の面と、グランド部１２０ａのベース板１２１ａの第１面１２１ａ１と、グランド部１２０ｂのベース板１２１ｂの第１面１２１ｂ１とがＺ−Ｚ’方向において同じ高さ位置に位置する構成とすることが可能である。
【００４８】
インピーダンス調整部２３０は端子２００の第１部２１０と第２部２２０との間に設けられた第１インピーダンス調整部２３１（以下、単に第１調整部２３１とも称する。）を有している。第１調整部２３１は、少なくとも部分的に第１グランド導体部１１０の基端部１１１内に位置している。すなわち、第１調整部２３１の全てが基端部１１１内に位置していても良いし、第１調整部２３１のＹ方向側の大部分が基端部１１１内に位置し、第１調整部２３１の残りのＹ’方向側の部分が基端部１１１からＹ’方向側に突出していても良い。第１調整部２３１の基端部１１１内に位置する部分又は全部の外形寸法は、第１グランド導体部１１０の基端部１１１の内形寸法よりも小さい。第１調整部２３１のＹ−Ｙ’方向における少なくとも一部の直交方向の寸法が、端子２００の第１部２１０の前記直交方向の寸法よりも大きい。このため、前記直交方向における第１調整部２３１の前記少なくとも一部と第１グランド導体部１１０との間の距離Ｄ１が、前記直交方向における端子２００の第１部２１０と第１グランド導体部１１０との間の距離Ｄ２よりも近い（図４Ａ参照）。第１調整部２３１の前記少なくとも一部の前記直交方向の寸法は、端子２００の第２部２２０の前記直交方向の寸法よりも大きくても良いし、略同じであっても良い。なお、直交方向は、Ｙ−Ｙ’方向に略直交している。
【００４９】
第１調整部２３１は、例えば、以下の（ａ）〜（ｅ）の何れかの構成を更に有していても良い。但し、（ｂ）、（ｃ）又は（ｄ）の場合、第１調整部２３１の前記少なくとも一部の前記直交方向の寸法が端子２００の第２部２２０の前記直交方向の寸法よりも大きい。
【００５０】
（ａ）第１調整部２３１は、略六角形であって、台形状のＹ方向側の第１端部と、この第１端部からＹ’方向に延びた矩形状の第２端部を有している。第１端部の前記直交方向の寸法がＹ’方向にいくにしたがって漸次拡大している。第１端部のＹ−Ｙ’方向の寸法は、任意に設定できるが、Ｙ−Ｙ’方向において、第１端部のＹ’方向の端が、第１グランド導体部１１０の基端部１１１のＹ’方向の端面に対してＹ方向側且つ当該端面の近傍に位置するように設定されていても良いし（図５Ａ参照）、Ｙ−Ｙ’方向において、第１端部のＹ’方向の端と第１グランド導体部１１０の基端部１１１のＹ’方向の端面とが同じ位置に位置するように設定されていても良い。このようにすれば、第１端部のＹ−Ｙ’方向の寸法が長くなる。第１端部のＹ−Ｙ’方向の寸法が長くなるほど、第１端部の前記直交方向の両端部の傾斜角が緩やかになる。第２端部のＸ−Ｘ’方向の寸法は、そのＹ−Ｙ’方向の全長において略均一である。この（ａ）の場合、第１調整部２３１の第１端部のＹ方向側の端部を除く部分の前記直交方向の寸法が、端子２００の第１部２１０の前記直交方向の寸法よりも大きい。又は、第１調整部２３１のＹ−Ｙ’方向の全ての部分の前記直交方向の寸法が、端子２００の第１部２１０の前記直交方向の寸法よりも大きい。
【００５１】
（ｂ）第１調整部２３１は、略六角形であって、矩形状のＹ方向側の第１端部と、この第１端部からＹ’方向に延びた台形状の第２端部を有している。第２端部の前記直交方向の寸法がＹ’方向にいくにしたがって漸次縮小している。第２端部のＹ−Ｙ’方向の寸法は、任意に設定できる。第２端部のＹ−Ｙ’方向の寸法が長くなるほど、第２端部の前記直交方向の両端部の傾斜角が緩やかになる。第１端部のＸ−Ｘ’方向の寸法は、そのＹ−Ｙ’方向の全長において略均一である。この（ｂ）の場合、第１調整部２３１の第２端部のＹ’方向側の端部を除く部分の前記直交方向の寸法が、端子２００の第１部２１０の前記直交方向の寸法よりも大きい。又は、第１調整部２３１のＹ−Ｙ’方向の全ての部分の前記直交方向の寸法が、端子２００の第１部２１０の前記直交方向の寸法よりも大きい。
【００５２】
（ｃ）第１調整部２３１は、略六角形であって、台形状のＹ方向側の第１端部と、この第１端部からＹ’方向に延びた台形状の第２端部を有している。第１端部は、（ａ）の上記何れかの態様の第１端部と同様の構成とすることができ、第２端部は、（ｂ）の上記何れかの態様の第２端部と同様の構成とすることができる。この（ｃ）の場合、第１調整部２３１の第１端部のＹ方向側の端部及び／又は第２端部のＹ’方向側の端部を除く部分の前記直交方向の寸法が、端子２００の第１部２１０の前記直交方向の寸法よりも大きい。又は、第１調整部２３１のＹ−Ｙ’方向の全ての部分の前記直交方向の寸法が、端子２００の第１部２１０の前記直交方向の寸法よりも大きい。
【００５３】
（ｄ）第１調整部２３１は、略八角形であって、台形状のＹ方向側の第１端部と、台形状のＹ’方向側の第２端部と、第１端部から第２端部へ延びた中間部とを有している（図４Ａ及び図５Ａ参照）。第１端部は、（ａ）の上記何れかの態様の第１端部と同様の構成とすることができ、第２端部は、（ｂ）の上記何れかの態様の第２端部と同様の構成とすることができる。中間部の前記直交方向の寸法は、そのＹ−Ｙ’方向の全長において略均一である。この（ｄ）の場合、第１調整部２３１の第１端部のＹ方向側の端部及び／又は第２端部のＹ’方向側の端部を除く部分の前記直交方向の寸法が、端子２００の第１部２１０の前記直交方向の寸法よりも大きい。又は、第１調整部２３１のＹ−Ｙ’方向の全ての部分の前記直交方向の寸法が、端子２００の第１部２１０の前記直交方向の寸法よりも大きい。
【００５４】
（ｅ）第１調整部２３１の前記直交方向の寸法は、そのＹ−Ｙ’方向の全長において略均一である。この（ｅ）の場合、第１調整部２３１のＹ−Ｙ’方向の全ての部分の前記直交方向の寸法が、端子２００の第１部２１０の前記直交方向の寸法よりも大きい。
【００５５】
上記直交方向は、図１Ａ〜図５ＢのようにＸ−Ｘ’方向とすることが可能であるが、これに限定されるものではない。上記直交方向は、Ｚ−Ｚ’方向であっても良いし、Ｘ−Ｘ’方向及びＺ−Ｚ’方向の成分を含む方向であっても良い。なお、図１Ａ〜図５Ｂでは、第１調整部２３１のＺ−Ｚ’方向の寸法は、第２部２２０のＺ−Ｚ’方向の寸法と同じであるが、これに限定されるものではない。
【００５６】
第１調整部２３１は、Ｚ’方向側に折り曲げられた構成とすることが可能である。この場合、端子２００の第１部２１０のＺ方向側の面が端子２００の第２部２２０のＺ方向側の面よりもＺ方向側に位置している。グランド部１２０ｃが設けられている場合、第１調整部２３１がＺ’方向側に折り曲げられていることによって、グランド部１２０ｃと端子２００の第２部２２０とのＺ−Ｚ’方向の距離が近くなる。以下、説明の便宜上、第１調整部２３１の折り曲げられた部分を折り曲げ部２３３と称する。なお、折り曲げ部２３３は省略可能である。この場合、第１調整部２３１は、Ｙ−Ｙ’方向においてストレートに延びた構成とすると良い。
【００５７】
端子２００は、直後部を有している。この直後部は、端子２００の第１グランド導体部１１０からＹ’方向に突出した直後の部分である。この直後部は、第２部２２０のＹ−Ｙ’方向の一部であって、第１調整部２３１の直後に設けられており且つ第１調整部２３１に対してＹ’方向側に位置している。換言すると、第１調整部２３１は、直後部の直前（Ｙ方向側）に設けられている。
【００５８】
同軸コネクタＣ１は、絶縁性を有するボディ３００を更に備えている。ボディ３００は、シェル１００に固定され且つ端子２００を保持する構成であれば良い。例えば、ボディ３００は、シェル１００及び端子２００がインサート成形された成形樹脂であって、以下の通りの構成とすることが可能である。
【００５９】
ボディ３００は保持部３１０を有している。保持部３１０は、第１保持部３１１を有している。第１保持部３１１は、シェル１００の第１グランド導体部１１０のＹ’方向側の部分内に固定されている。具体的には、第１保持部３１１は、シェル１００の第１グランド導体部１１０のＹ’方向側の部分内に充填又は嵌合している。よって、第１保持部３１１のＺ−Ｚ’方向の断面の外形寸法は、第１グランド導体部１１０のＹ’方向側の部分のＺ−Ｚ’方向の断面の内形寸法に対応している。第１保持部３１１内には、第１部２１０の基端部及び第１調整部２３１が埋め込まれている。換言すると、第１保持部３１１は、第１部２１０の基端部及び第１調整部２３１を保持している。端子２００の第１部２１０の先端部は、第１保持部３１１からＹ方向に突出し、第１グランド導体部１１０の先端部の空間内に中空配置されている。なお、第１グランド導体部１１０の先端部の空間は、Ｙ方向に開放された内側接続孔を構成している。この内側接続孔内に、図示しない相手方コネクタの端子が挿入されて端子２００の第１部２１０の先端部に接触すると共に、相手方コネクタのボディの一部が嵌合するようになっている。
【００６０】
保持部３１０は、第２保持部３１２を更に有する構成とすることが可能である。第２保持部３１２は、第１グランド導体部１１０のＹ’方向側の部分の周りを部分的に覆うように設けられていても良いし、第２保持部３１２は、第１グランド導体部１１０の基端部のＹ−Ｙ’方向の全領域の周りを覆うように設けられていても良い。すなわち、第１グランド導体部１１０のＹ’方向側の部分が、少なくとも部分的に第２保持部３１２に固定されている。
【００６１】
保持部３１０は第３保持部３１３を更に有する構成とすることが可能である。第２保持部３１２が設けられている場合、第３保持部３１３は、第１保持部３１１及び第２保持部３１２からＹ’方向側に延びている。第２保持部３１２が設けられていない場合、第３保持部３１３は、第１保持部３１１からＹ’方向側に延びている。
グランド部１２０ｃが設けられている場合、第３保持部３１３内には、グランド部１２０ａのＹ方向側の部分、グランド部１２０ｂのＹ方向側の部分、グランド部１２０ｃのＹ方向側の部分及び端子２００の第２部２２０のＹ方向側の部分が埋め込まれている。
グランド部１２０ｃが設けられていない場合、第３保持部３１３内には、グランド部１２０ａのＹ方向側の部分、グランド部１２０ｂのＹ方向側の部分及び端子２００の第２部２２０のＹ方向側の部分が埋め込まれている。
【００６２】
図１Ａ〜図３Ｂでは、第３保持部３１３には、二つの第１凹部３１３ａと、二つの第２凹部３１３ｂと、二つのネジ孔３１３ｃとが設けられている。二つの第１凹部３１３ａは、第３保持部３１３のＺ方向側の部分のＸ−Ｘ’方向の両端部に設けられており、二つの第２凹部３１３ｂは、第３保持部３１３のＺ’方向側の部分のＸ−Ｘ’方向の両端部に設けられている。二つの第１凹部３１３ａのうちの一方は、Ｚ方向及びＸ方向に開放され、他方は、Ｚ方向及びＸ’方向に開放されている。二つの第２凹部３１３ｂのうちの一方は、Ｚ’方向及びＸ方向に開放され、他方は、Ｚ’方向及びＸ’方向に開放されている。二つの第２凹部３１３ｂからは、グランド部１２０ａのＹ方向側の部分及びグランド部１２０ｂのＹ方向側の部分が露出している。二つのネジ孔３１３ｃのうちの一方は、二つの第１凹部３１３ａのうちの一方のＺ’方向側の面からグランド部１２０ａのＹ方向側の部分まで延びており、グランド部１２０ａのＹ方向側の部分の固定孔に連通しており、二つのネジ孔３１３ｃのうちの他方は、二つの第１凹部３１３ａのうちの他方のＺ’方向側の面からグランド部１２０ａのＹ方向側の部分まで延びており、グランド部１２０ｂのＹ方向側の部分の固定孔に連通している。なお、第１凹部３１３ａ、第２凹部３１３ｂ及びネジ孔３１３ｃは省略可能である。
【００６３】
ボディ３００は、支持台３３０を更に有する構成とすることが可能である。支持台３３０は、第３保持部３１３からＹ’方向に延びた板状である。
グランド部１２０ｃが設けられている場合、支持台３３０内には、グランド部１２０ａのＹ’方向側の部分、グランド部１２０ｂのＹ’方向側の部分、グランド部１２０ｃのＹ’方向側の部分及び端子２００の第２部２２０のＹ’方向側の部分が埋め込まれている。なお、グランド部１２０ｃに貫通孔１２３ｃが設けられている場合、支持台３３０には、貫通孔１２３ｃに連通し且つＺ’方向側に開口した開口３３１が設けられていても良い。
グランド部１２０ｃが設けられていない場合、支持台３３０内には、グランド部１２０ａのＹ’方向側の部分、グランド部１２０ｂのＹ’方向側の部分及び端子２００の第２部２２０のＹ’方向側の部分が埋め込まれている。
何れの場合も、グランド部１２０ａのＹ’方向側の部分、グランド部１２０ｂのＹ’方向側の部分及び端子２００の第２部２２０のＹ’方向側の部分のＺ方向側の面は、支持台３３０のＺ方向側の面から露出している。
【００６４】
なお、折り返し板１２２ａ及び折り返し板１２２ｂが設けられている場合、グランド部１２０ａのＹ’方向側の部分のＺ方向側の面は、折り返し板１２２ａのＺ方向側の第２面１２２ａ１であり、グランド部１２０ｂのＹ’方向側の部分のＺ方向側の面は、折り返し板１２２ｂのＺ方向側の第２面１２２ｂ１である（図１Ａ〜図５Ｂ参照）。折り返し板１２２ａ及び折り返し板１２２ｂが設けられていない場合、グランド部１２０ａのＹ’方向側の部分のＺ方向側の面は、ベース板１２１ａの第１面１２１ａ１であり、グランド部１２０ｂのＹ’方向側の部分のＺ方向側の面は、ベース板１２１ｂの第１面１２１ｂ１である。
【００６５】
ボディ３００は、筒部３２０を更に有する構成とすることが可能である。筒部３２０は、第２保持部３１２からＹ方向に延びており且つＹ方向に開口されている。筒部３２０内には、第１グランド導体部１１０の先端部と、そのＹ’方向側の部分が収容されている。筒部３２０の内形寸法は、第１グランド導体部１１０の先端部及びそのＹ’方向側の部分の外形寸法よりも大きい。筒部３２０内の空間が、Ｙ方向に開放された外側接続孔３２１を構成している。この外側接続孔３２１内に、上記相手方コネクタのボディの筒部が挿入される一方で、当該筒部内に第１グランド導体部１１０の先端部及び及びそのＹ’方向側の部分が挿入されるようになっている。なお、筒部３２０は省略可能である。
【００６６】
以上のような同軸コネクタＣ１による場合、（１−１）同軸コネクタＣ１のＹ方向側の部分は、同軸線路となっている。具体的には、端子２００の第１部２１０は、略筒状の第１グランド導体部１１０内に配置され、第１部２１０の全周が第１グランド導体部１１０によって囲われている。その一方で、同軸コネクタＣ１のＹ’方向側の部分は、コプレーナ線路且つマイクロストリップ線路、又は、コプレーナ線路となっている。前者の場合（すなわち、グランド部１２０ｃが設けられている場合）、端子２００の第２部２２０は、Ｘ−Ｘ’方向においてグランド部１２０ａ及びグランド部１２０ｂの間に配置され且つグランド部１２０ｃに対してＺ方向側に配置されている。この場合、端子２００の第２部２２０は、そのＺ方向側にグランド部に相当するものが存在しない。後者の場合（すなわち、グランド部１２０ｃが設けられていない場合）、端子２００の第２部２２０は、Ｘ−Ｘ’方向においてグランド部１２０ａ及びグランド部１２０ｂの間に配置されている。この場合、端子２００の第２部２２０は、そのＺ方向側及びＺ’方向側にグランド部に相当するものが存在しない。これが、端子２００の直後部のインピーダンスが高くなる要因となるが、同軸コネクタＣ１の場合、以下の通り、端子２００の直後部のインピーダンスを低下させることができる。
【００６７】
第１調整部２３１は、端子２００の第２部２２０の直後部の直前に設けられている。この第１調整部２３１のＹ−Ｙ’方向における少なくとも一部の上記直交方向の寸法が、端子２００の第１部２１０の直交方向の寸法よりも大きく、直交方向における第１調整部２３１の前記少なくとも一部とシェル１００の第１グランド導体部１１０との間の距離Ｄ１が、直交方向における第１部２１０と第１グランド導体部１１０との間の距離Ｄ２よりも近いため、第１調整部２３１のインピーダンスが低下し、これに伴って、第１調整部２３１の直後に設けられた直後部のインピーダンスも低下させることができる。この場合、第１調整部２３１のＹ−Ｙ’方向の寸法及び／又は第１調整部２３１の前記少なくとも一部の上記直交方向の寸法を大きくすることによって、端子２００の直後部のインピーダンスを下げることができ、第１調整部２３１のＹ−Ｙ’方向の寸法及び／又は第１調整部２３１の前記少なくとも一部の上記直交方向の寸法を小さくすることによって、端子２００の直後部のインピーダンスを上昇させることができる。換言すると、端子２００の直後部のインピーダンスをどの程度低下させるかに応じて、第１調整部２３１のＹ−Ｙ’方向の寸法及び／又は第１調整部２３１の前記少なくとも一部の上記直交方向の寸法を適宜調整し設定すると良い。しかも、第１グランド導体部１１０内の第１調整部２３１のインピーダンスを下げることによって、直後部のインピーダンスを低下させているため、直後部のインピーダンスが低下し過ぎるのを抑制することができる。
【００６８】
（１−２）第１調整部２３１のＹ方向側の第１端部の直交方向の寸法がＹ’方向にいくにしたがって漸次拡大している場合、第１調整部２３１の直交方向の寸法が緩やかに変化するため、第１調整部２３１の第１端部のインピーダンスがＹ’方向にいくにしたがって緩やかに低下する。その結果、第１調整部２３１の第１端部のインピーダンスの急な低下が抑制される。第１調整部２３１の第１端部のＹ−Ｙ’方向の寸法を大きくすることによって、第１調整部２３１の第１端部のインピーダンスの低下を更に緩やかにすることができる。第１調整部２３１のＹ’方向側の第２端部の直交方向の寸法がＹ’方向にいくにしたがって漸次縮小している場合、第１調整部２３１の第２端部の直交方向の寸法が緩やかに変化するため、第１調整部２３１の第２端部のインピーダンスが緩やかに変化する。よって、第１調整部２３１の第２端部から端子２００の第２部２２０の直後部にかけてインピーダンスの急な変化が抑制される。第１調整部２３１の第２端部のＹ−Ｙ’方向の寸法を大きくすることによって、第１調整部２３１の第２端部のインピーダンスの変化を更に緩やかにすることができる。
【００６９】
（１−３）グランド部１２０ｃが設けられている場合、端子２００の第２部２２０は、グランド部１２０ｃに対してＺ’方向側に間隔をあけて配置されている。この構成によって、端子２００の直後部を有する第２部２２０のインピーダンスを低下させることができる。少なくとも一つの連結部１３０が上記（１）の構成である場合、端子２００の第２部２２０は、連結部１３０及びグランド部１２０ｃに対してＺ’方向側に間隔をあけて配置されている。この構成によっても、端子２００の直後部を有する第２部２２０のインピーダンスを低下させることができる。
何れの場合も、第１調整部２３１がＺ’方向側に折り曲げられ、且つ端子２００の第２部２２０とグランド部１２０ｃとの間の距離が近づけられている場合、端子２００の直後部を有する第２部２２０のインピーダンスを更に低下させることができる。
【００７０】
（１−４）グランド部１２０ｃに貫通孔１２３ｃが設けられている場合、端子２００の第２部２２０のインピーダンスを低下させることができる。
【００７１】
（１−５）グランド部１２０ｃの第１端部１２１ｃがＺ方向に延びつつＸ方向に延びた円弧状であり、グランド部１２０ｃの第２端部１２２ｃがＺ方向に延びつつＸ’方向に延びた円弧状である場合、ベース板１２１ａの第１面１２１ａ１のＸ−Ｘ’方向の寸法が小さくなり且つベース板１２１ｂの第１面１２１ｂ１のＸ−Ｘ’方向の寸法が小さくなる。しかし、折り返し板１２２ａ及び折り返し板１２２ｂが設けられている場合、折り返し板１２２ａの第２面１２２ａ１のＸ−Ｘ’方向の寸法が、ベース板１２１ａの第１面１２１ａ１のＸ−Ｘ’方向の寸法よりも大きく、且つ、折り返し板１２２ｂの第２面１２２ｂ１のＸ−Ｘ’方向の寸法は、ベース板１２１ｂの第１面１２１ｂ１のＸ−Ｘ’方向の寸法よりも大きくすることができる。よって、折り返し板１２２ａの第２面１２２ａ１及び折り返し板１２２ｂの第２面１２２ｂ１を、ケーブルや端子に対する接続面として使用することにより、当該接続面のＸ−Ｘ’方向の寸法を大きくすることができる。
【００７２】
（１−６）グランド部１２０ｃの有無に関わらず、第１調整部２３１がＺ’方向側に折り曲げられている場合、同軸コネクタＣ１のＹ’方向側の部分のＺ−Ｚ’方向の寸法を低減することができる。
【００７３】
（１−７）同軸コネクタＣ１内の内的要因（例えば、第１調整部２３１がＺ’方向側に折り曲げられ、第２部２２０がグランド部１２０ｃの近くに配置されていること）及び／又は同軸コネクタＣ１の外的要因によって、端子２００の第２部２２０のインピーダンスが低くなり過ぎる場合がある。この場合、以下の構成を採用することによって、端子２００の第２部２２０のインピーダンスを上昇させることができる。端子２００の第２部２２０のＹ−Ｙ’方向の少なくとも一部のＸ−Ｘ’方向の寸法が、第１調整部２３１のＹ−Ｙ’方向の少なくとも一部のＸ−Ｘ’方向の寸法よりも小さくすることによって、Ｘ−Ｘ’方向における端子２００の第２部２２０の少なくとも一部とグランド部１２０ａとの間の距離Ｄ３及びＸ−Ｘ’方向における端子２００の第２部２２０の少なくとも一部とグランド部１２０ｂとの間の距離Ｄ４を大きくすることができる（図４Ａ参照）。その結果、端子２００の第２部２２０のインピーダンスを上昇させることができる。
【００７４】
以下、本発明の実施例１に係る電子部品モジュールＭ（以下、単にモジュールＭとも称する。）について、図６及び図７を参照しつつ説明する。モジュールＭは、上記何れかの態様の同軸コネクタＣ１（以下、第１コネクタＣ１とも称する。）と、第２コネクタ１０と、電子部品２０と、基板３０と、筐体４０とを備えている。
【００７５】
電子部品２０は、基板３０上に実装されており且つ基板３０及び第２コネクタ１０を介して第１コネクタＣ１に電気的に接続されている。電子部品２０は、モジュールＭとしての機能を発揮する電子部品（機能部品）であれば良い。電子部品２０は、例えば、ＣＣＤカメラユニット、スピーカー、マイクロホン、センサ、コネクタ、能動部品、受動部品及び／又は基板等の機能を発揮する構成とすることが可能である。センサは、タッチパネル、加速度センサ、タッチスイッチ又は人感センサ等である。能動部品は、半導体や電気モータ等である。受動部品は、抵抗器、コンデンサ、コイル、トランス、リレー、圧電素子、振動子等である。
【００７６】
筐体４０は、鋳造された金属等の導電体で構成されていても良いし、３Ｄプリンタによって形成された導体で構成されていても良いし、プレス成形された金属板で構成されていても良いし、内面及び／又は外面に金属箔が蒸着された樹脂で構成されていても良い。筐体４０は、Ｚ方向側及びＹ方向に開口した箱であって、その内部に台座部４１が設けられている。この台座部４１上に第１コネクタＣ１が固定されている。具体的には、第１コネクタＣ１のボディ３００のネジ孔３１３ｃ及びシェル１００の第２グランド導体部１２０の固定孔に図示しないネジが挿入され、台座部４１に第１コネクタＣ１がネジ止めされている。この固定された状態で、第１コネクタＣ１の筒部３２０が筐体４０からＹ方向に突出している。また、筐体４０内には、第２コネクタ１０、基板３０及び電子部品２０が収容されている。基板３０及び電子部品２０の少なくとも一方が、筐体４０に固定されている。
【００７７】
第２コネクタ１０は、信号端子１１、第１グランド端子１２、第２グランド端子１２及びボディ１３を有している。ボディ１３は、基板３０上に固定されている。信号端子１１、第１グランド端子１２及び第２グランド端子１２は、プレス成形された金属板など構成されていても良いし、３Ｄプリンタによって形成された導体で構成されていても良い。信号端子１１、第１グランド端子１２及び第２グランド端子１２は、先端部及び基端部を有している。
【００７８】
信号端子１１、第１グランド端子１２及び第２グランド端子１２の先端部は、湾曲させられている。信号端子１１と、第１グランド端子１２及び第２グランド端子１２の基端部は、ボディ１３に保持され且つ基板３０の図示しない電極に電気的に接続されている。基板３０及び電子部品２０の少なくとも一方が、筐体４０に固定された状態で、信号端子１１の先端部が、第１コネクタＣ１の端子２００の第２部２２０のＺ方向側の面にＺ方向側から弾性接触し、第１グランド端子１２の先端部が、台座部４１上の第１コネクタＣ１のグランド部１２０ａのＺ方向側の面にＺ方向側から弾性接触し、第２グランド端子１２の先端部が第１コネクタＣ１のグランド部１２０ｂのＺ方向側の面にＺ方向側から弾性接触している。信号端子１１の先端部のＸ−Ｘ’方向の寸法が、第１コネクタＣ１の端子２００の第２部２２０のＺ方向側の面（図１Ａ〜図５Ｂでは、幅広部２２２のＺ方向側の面）よりも小さく、第１グランド端子１２の先端部のＸ−Ｘ’方向の寸法は、グランド部１２０ａのＺ方向側の面のＸ−Ｘ’方向の寸法よりも小さく、第２グランド端子１２の先端部のＸ−Ｘ’方向の寸法がグランド部１２０ｂのＺ方向側の面のＸ−Ｘ’方向の寸法よりも小さい。このため、第１コネクタＣ１が台座部４１に固定されることによって生じる傾き、第１コネクタＣ１が台座部４１に固定されることによって生じる位置ずれ、基板３０及び電子部品２０の少なくとも一方が筐体４０に固定されることによって生じる傾き、及び／又は基板３０及び電子部品２０の少なくとも一方が、筐体４０に固定されるよって生じる位置ずれなどが、前述の信号端子１１の先端部、第１グランド端子１２の先端部及び第２グランド端子１２の先端部の弾性変形によって、吸収される。また、第１コネクタＣ１と第２コネクタ１０とは、前述の信号端子１１の先端部、第１グランド端子１２の先端部及び第２グランド端子１２の先端部の弾性接触のみで、電気的に接続されている。そのため、第１コネクタＣ１に相手方コネクタが接続される際に、第１コネクタＣ１に掛かる負荷が、前述の信号端子１１の先端部、第１グランド端子１２の先端部及び第２グランド端子１２の先端部の弾性変形によって吸収され、基板３０及び電子部品２０に掛かるのを避けることができる。
【実施例２】
【００７９】
以下、本発明の実施例２及びその第１設計変更例を含む複数の実施例に係る同軸コネクタＣ２について、図８Ａ及び図８Ｂを参照しつつ説明する。図８Ａには、実施例２の同軸コネクタＣ２が示されており、図８Ｂには、実施例２の同軸コネクタＣ２の第１設計変更例が示されている。図８Ａ及び図８Ｂには、Ｙ−Ｙ’方向及びＸ−Ｘ’方向が、同軸コネクタＣ１と同様に示されている。図８Ａ及び図８Ｂでは、ボディ３００が図示省略されているため、ボディ３００の各構成要素については、図１Ａ〜図３Ｂを借りて参照する。また、Ｚ−Ｚ’方向については、図２Ａ、図２Ｃ及び図２Ｄ〜図３Ｂを借りて参照する。
【００８０】
同軸コネクタＣ２は、インピーダンス調整部２３０が第１インピーダンス調整部２３１及び第２インピーダンス調整部２３２（以下、単に第２調整部２３２とも称する。）を有している点で、同軸コネクタＣ１と相違する以外、上記何れかの態様の同軸コネクタＣ１と同様の構成である。以下、その相違点についてのみ詳しく説明し、同軸コネクタＣ２の説明のうち、同軸コネクタＣ１と重複する説明については省略する。
【００８１】
第１調整部２３１は、上記（ａ）〜（ｅ）の態様を除く上記何れかの態様の第１調整部２３１と同様の構成とすることが可能である。ここでは、上記直交方向は、Ｘ−Ｘ’方向とすると良い。
【００８２】
第２調整部２３２は、第１調整部２３１からＹ’方向に延びている。このように第２調整部２３２は第１調整部２３１に一体化されている。第２調整部２３２は端子２００の直後部を有している。第２調整部２３２は、Ｘ−Ｘ’方向においてグランド部１２０ａとグランド部１２０ｂとの間に、グランド部１２０ａ及びグランド部１２０ｂに対してそれぞれ間隔あけて配置されている。具体的には、第２調整部２３２は、以下の何れかの通りに配置されている。
折り返し板１２２ａ及び折り返し板１２２ｂが設けられている場合、第２調整部２３２は、Ｘ−Ｘ’方向において、ベース板１２１ａとベース板１２１ｂとの間及び折り返し板１２２ａと折り返し板１２２ｂとの間の少なくとも一方の間に配置されている。第２調整部２３２は、ベース板１２１ａ及び折り返し板１２２ａの少なくとも一方に対してＸ’方向側に間隔をあけて位置しており、且つベース板１２１ｂ及び折り返し板１２２ｂの少なくとも一方に対してＸ方向側に間隔をあけて位置している。
折り返し板１２２ａ及び折り返し板１２２ｂが設けられていない場合、第２調整部２３２は、Ｘ−Ｘ’方向において、ベース板１２１ａとベース板１２１ｂとの間に、ベース板１２１ａ及びベース板１２１ｂに対してそれぞれＸ−Ｘ’方向に間隔をあけて配置されている。
何れの場合も、第２調整部２３２は、第１グランド導体部１１０の基端部１１１の近傍に位置している。
【００８３】
インピーダンス調整部２３０のＹ−Ｙ’方向の少なくとも一部（第１調整部２３１及び／又は第２調整部２３２のＹ−Ｙ’方向の少なくとも一部）のＸ−Ｘ’方向の寸法は、Ｘ−Ｘ’方向におけるグランド部１２０ａからグランド部１２０ｂまでの距離よりも小さく、且つ、端子２００の第１部２１０のＸ−Ｘ’方向の寸法よりも大きい。Ｘ−Ｘ’方向における第２調整部２３２の前記少なくとも一部とグランド部１２０ａの距離Ｄ５及びＸ−Ｘ’方向における第２調整部２３２の前記少なくとも一部とグランド部１２０ｂとの距離Ｄ６は、Ｘ−Ｘ’方向における端子２００の第１部２１０と第１グランド導体部１１０との間の距離Ｄ２よりも近い（図８Ａ及び図８Ｂ参照）。インピーダンス調整部２３０の前記少なくとも一部のＸ−Ｘ’方向の寸法は、端子２００の第２部２２０のＸ−Ｘ’方向の寸法よりも大きくても良いし、略同じであっても良い。
【００８４】
インピーダンス調整部２３０は、例えば、以下の（ｆ）〜（ｊ）の何れかの構成を更に有していても良い。但し、（ｇ）、（ｈ）又は（ｉ）の場合、インピーダンス調整部２３０の前記少なくとも一部のＸ−Ｘ’方向の寸法が端子２００の第２部２２０のＸ−Ｘ’方向の寸法よりも大きい。
【００８５】
（ｆ）インピーダンス調整部２３０は、略六角形であって、台形状のＹ方向側の第１端部と、この第１端部からＹ’方向に延びた矩形状のＹ’方向側の第２端部とを有している。第１端部のＸ−Ｘ’方向の寸法はＹ’方向にいくにしたがって漸次拡大している。第１端部のＹ−Ｙ’方向の寸法は、任意に設定できるが、Ｙ−Ｙ’方向において、第１端部のＹ’方向の端が、第１グランド導体部１１０の基端部１１１のＹ’方向の端面に対してＹ方向側且つ当該端面の近傍に位置するように設定されていても良いし、Ｙ−Ｙ’方向において、第１端部のＹ’方向の端と第１グランド導体部１１０の基端部１１１のＹ’方向の端面とが同じ位置に位置するように設定されていても良いし、Ｙ−Ｙ’方向において、第１端部のＹ’方向の端が、第１グランド導体部１１０の基端部１１１のＹ’方向の端面に対してＹ’方向側且つ当該端面の近傍に位置するように設定されていても良い（図８Ｂ参照）。第１端部のＹ−Ｙ’方向の寸法が長くなるほど、第１端部の前記直交方向の両端部の傾斜角が緩やかになる。第２端部のＸ−Ｘ’方向の寸法は、そのＹ−Ｙ’方向の全長において略均一である。この（ｆ）の場合、インピーダンス調整部２３０の第１端部のＹ方向側の端部を除く部分のＸ−Ｘ’方向の寸法が、端子２００の第１部２１０のＸ−Ｘ’方向の寸法よりも大きい。又は、インピーダンス調整部２３０のＹ−Ｙ’方向の全ての部分のＸ−Ｘ’方向の寸法が、端子２００の第１部２１０のＸ−Ｘ’方向の寸法よりも大きい。
【００８６】
（ｇ）インピーダンス調整部２３０は、略六角形であって、矩形状のＹ方向側の第１端部と、この第１端部からＹ’方向に延びた台形状のＹ’方向側の第２端部とを有している。第２端部のＸ−Ｘ’方向の寸法がＹ’方向にいくにしたがって漸次縮小している。第２端部のＹ−Ｙ’方向の寸法は、任意に設定できる。第２端部のＹ−Ｙ’方向の寸法が長くなるほど、第２端部のＸ−Ｘ’方向の両端部の傾斜角が緩やかになる。第１端部のＸ−Ｘ’方向の寸法は、そのＹ−Ｙ’方向の全長において略均一である。この（ｇ）の場合、インピーダンス調整部２３０の第２端部のＹ’方向側の端部を除く部分のＸ−Ｘ’方向の寸法が、端子２００の第１部２１０のＸ−Ｘ’方向の寸法よりも大きい。又は、インピーダンス調整部２３０のＹ−Ｙ’方向の全ての部分のＸ−Ｘ’方向の寸法が、端子２００の第１部２１０のＸ−Ｘ’方向の寸法よりも大きい。
【００８７】
（ｈ）インピーダンス調整部２３０は、略六角形であって、台形状のＹ方向側の第１端部と、この第１端部からＹ’方向に延びた台形状のＹ’方向側の第２端部とを有している（図８Ｂ参照）。第１端部は、（ｆ）の上記何れかの態様の第１端部と同様の構成とすることができ、第２端部は、（ｇ）の上記何れかの態様の第２端部と同様の構成とすることができる。この（ｈ）の場合、インピーダンス調整部２３０の第１端部のＹ方向側の端部及び／又は第２端部のＹ’方向側の端部を除く部分のＸ−Ｘ’方向の寸法が、端子２００の第１部２１０のＸ−Ｘ’方向の寸法よりも大きい。又は、インピーダンス調整部２３０のＹ−Ｙ’方向の全ての部分のＸ−Ｘ’方向の寸法が、端子２００の第１部２１０のＸ−Ｘ’方向の寸法よりも大きい。
【００８８】
（ｉ）インピーダンス調整部２３０は、略八角形であって、台形状のＹ方向側の第１端部と、台形状のＹ’方向側の第２端部と、第１端部から第２端部へ延びた中間部とを有している（図８Ａ参照）。第１端部は、（ｆ）の上記何れかの態様の第１端部と同様の構成とすることができ、第２端部は、（ｇ）の上記何れかの態様の第２端部と同様の構成とすることができる。中間部のＸ−Ｘ’方向の寸法は、そのＹ−Ｙ’方向の全長において略均一である。この（ｉ）の場合、インピーダンス調整部２３０の第１端部のＹ方向側の端部及び／又は第２端部のＹ’方向側の端部を除く部分のＸ−Ｘ’方向の寸法が、端子２００の第１部２１０のＸ−Ｘ’方向の寸法よりも大きい。又は、インピーダンス調整部２３０のＹ−Ｙ’方向の全ての部分のＸ−Ｘ’方向の寸法が、端子２００の第１部２１０のＸ−Ｘ’方向の寸法よりも大きい。
【００８９】
（ｊ）インピーダンス調整部２３０のＸ−Ｘ’方向の寸法は、そのＹ−Ｙ’方向の全長において略均一としても構わない。この（ｊ）の場合、インピーダンス調整部２３０のＹ−Ｙ’方向の全ての部分のＸ−Ｘ’方向の寸法が、端子２００の第１部２１０のＸ−Ｘ’方向の寸法よりも大きい。
【００９０】
なお、（ｆ）、（ｇ）及び（ｈ）の場合において、第１端部が第１調整部２３１であり、第２端部が第２調整部２３２であっても良いし、第１端部が第１調整部２３１及び第２調整部２３２のＹ方向側の部分であり、第２端部が第２調整部２３２のＹ’方向側の部分であっても良いし、第１端部が第１調整部２３１のＹ方向側の部分であり、第２端部が第１調整部２３１のＹ’方向側の部分及び第２調整部２３２であっても良い。（ｉ）の場合において、第１調整部２３１が第１端部及び中間部を有し、第２調整部２３２が第２端部を有する構成、又は、第１調整部２３１が第１端部を有し、第２調整部２３２が中間部及び第２端部を有する構成、又は、第１調整部２３１が第１端部及び中間部のＹ方向側の端部を有し、第２調整部２３２が中間部のＹ’方向側の端部及び第２端部を有する構成とすると良い。
【００９１】
第１調整部２３１及び第２調整部２３２のＺ−Ｚ’方向の寸法は、第２部２２０のＺ−Ｚ’方向の寸法と同じにしても良いが、これに限定されるものではない。
【００９２】
グランド部１２０ｃが設けられている場合、第２調整部２３２は、グランド部１２０ｃに対してＺ方向側に間隔をあけて配置されている。少なくとも一つの連結部１３０が上記（１）の構成である場合、第２調整部２３２は、連結部１３０及びグランド部１２０ｃに対してＺ方向側に間隔をあけて配置されている。
【００９３】
第１調整部２３１及び第２調整部２３２の何れか一方に、折り曲げ部２３３が設けられていても良いし、第１調整部２３１と第２調整部２３２との間に折り曲げ部２３３が設けられていても良い。なお、折り曲げ部２３３は省略可能である。この場合、第１調整部２３１及び第２調整部２３２は、Ｙ−Ｙ’方向においてストレートに延びた構成とすると良い。
【００９４】
グランド部１２０ｃが設けられている場合、第３保持部３１３内には、グランド部１２０ａのＹ方向側の部分、グランド部１２０ｂのＹ方向側の部分、グランド部１２０ｃのＹ方向側の部分、第２調整部２３２及び端子２００の第２部２２０のＹ方向側の部分が埋め込まれている。
グランド部１２０ｃが設けられていない場合、第３保持部３１３内には、グランド部１２０ａのＹ方向側の部分、グランド部１２０ｂのＹ方向側の部分、第２調整部２３２及び端子２００の第２部２２０のＹ方向側の部分が埋め込まれている。
【００９５】
以上のような同軸コネクタＣ２による場合、（２−１）同軸コネクタＣ１と同様に、端子２００の第２調整部２３２の直後部のインピーダンスが高くなる要因を有しているが、同軸コネクタＣ２の場合、以下の通り、端子２００の第２調整部２３２の直後部のインピーダンスを低下させることができる。
【００９６】
第１調整部２３１のＹ−Ｙ’方向の少なくとも一部のＸ−Ｘ’方向の寸法が、端子２００の第１部２１０のＸ−Ｘ’方向の寸法よりも大きいため、Ｘ−Ｘ’方向における第１調整部２３１の前記少なくとも一部とシェル１００の第１グランド導体部１１０との間の距離Ｄ１が、Ｘ−Ｘ’方向における第１部２１０と第１グランド導体部１１０との間の距離Ｄ２よりも近いため、第１調整部２３１のインピーダンスの低下に伴ってインピーダンス調整部２３０の第２調整部２３２の直後部のインピーダンスを低下させることができる。インピーダンス調整部２３０の第２調整部２３２のＹ−Ｙ’方向の少なくとも一部のＸ−Ｘ’方向の寸法が、端子２００の第１部２１０のＸ−Ｘ’方向の寸法よりも大きいため、Ｘ−Ｘ’方向における第２調整部２３２の前記少なくとも一部とグランド部１２０ａとの間の距離Ｄ５及びＸ−Ｘ’方向における第２調整部２３２の前記少なくとも一部とグランド部１２０ｂとの間の距離Ｄ６が、Ｘ−Ｘ’方向における第１部２１０と第１グランド導体部１１０との間の距離Ｄ２よりも近いため、直後部を有する第２調整部２３２のインピーダンスを低下させることができる。第１調整部２３１のＹ−Ｙ’方向の寸法、第２調整部２３２のＹ−Ｙ’方向の寸法、第１調整部２３１の前記少なくとも一部のＸ−Ｘ’方向の寸法、及び／又は、第２調整部２３２の前記少なくとも一部のＸ−Ｘ’方向の寸法を大きくすることによって、端子２００の直後部のインピーダンスを下げることができ、第１調整部２３１のＹ−Ｙ’方向の寸法、第２調整部２３２のＹ−Ｙ’方向の寸法、第１調整部２３１の前記少なくとも一部のＸ−Ｘ’方向の寸法、及び／又は、第２調整部２３２の前記少なくとも一部のＸ−Ｘ’方向の寸法を小さくすることによって、端子２００の直後部のインピーダンスを上昇させることができる。換言すると、端子２００の直後部のインピーダンスをどの程度低下させるかに応じて、第１調整部２３１のＹ−Ｙ’方向の寸法、第２調整部２３２のＹ−Ｙ’方向の寸法、第１調整部２３１の前記少なくとも一部のＸ−Ｘ’方向の寸法、及び／又は、第２調整部２３２の前記少なくとも一部のＸ−Ｘ’方向の寸法を適宜調整し設定すると良い。
【００９７】
（２−２）インピーダンス調整部２３０の第１端部のＸ−Ｘ’方向の寸法がＹ’方向にいくにしたがって漸次拡大している場合、第１端部のＸ−Ｘ’方向の寸法が緩やかに変化するため、当該第１端部のインピーダンスがＹ’方向にいくにしたがって緩やかに低下する。その結果、第１端部のインピーダンスの急な低下が抑制される。第１端部のＹ−Ｙ’方向の寸法を大きくすることによって、第１端部のインピーダンスの低下を更に緩やかにすることができる。インピーダンス調整部２３０の第２端部のＸ−Ｘ’方向の寸法がＹ’方向にいくにしたがって漸次縮小している場合、第２端部のＸ−Ｘ’方向の寸法が緩やかに変化するため、第２端部のインピーダンスが緩やかに変化する。よって、第２端部から端子２００の第２部２２０にかけてのインピーダンスの急な変化が抑制される。第２端部のＹ−Ｙ’方向の寸法を大きくすることによって、第２端部のインピーダンスの変化を更に緩やかにすることができる。
【００９８】
（２−３）グランド部１２０ｃが設けられている場合、端子２００の第２調整部２３２及び第２部２２０は、グランド部１２０ｃに対してＺ方向側に間隔をあけて配置されている。この構成によって、第２調整部２３２及び第２部２２０のインピーダンスを低下させることができる。少なくとも一つの連結部１３０が上記（１）の構成である場合、端子２００の第２調整部２３２及び第２部２２０は、連結部１３０及びグランド部１２０ｃに対してＺ方向側に間隔をあけて配置されている。この構成によっても、第２調整部２３２及び第２部２２０のインピーダンスを更に低下させることができる。
何れの場合も、インピーダンス調整部２３０がＺ’方向側に折り曲げられている場合、端子２００の第２調整部２３２及び第２部２２０と連結部１３０及びグランド部１２０ｃとの間の距離を近づけることができる。この構成によっても、第２調整部２３２及び第２部２２０のインピーダンスを更に低下させることができる。
【００９９】
（２−４）同軸コネクタＣ２内の内的要因（例えば、折り曲げ部２３３によって、第２部２２０がグランド部１２０ｃの近くに配置されていること）及び／又は同軸コネクタＣ２の外的要因によって、端子２００の第２部２２０のインピーダンスが低くなり過ぎる場合がある。この場合、以下の構成を採用することによって、端子２００の第２部２２０のインピーダンスを上昇させることができる。端子２００の第２部２２０のＹ−Ｙ’方向の少なくとも一部のＸ−Ｘ’方向の寸法が、第１調整部２３１及び第２調整部２３２の前記少なくとも一部のＸ−Ｘ’方向の寸法よりも小さくすることによって、Ｘ−Ｘ’方向における端子２００の第２部２２０の少なくとも一部とグランド部１２０ａとの間の距離Ｄ３及びＸ−Ｘ’方向における端子２００の第２部２２０の少なくとも一部とグランド部１２０ｂとの間の距離Ｄ４を大きくすることができる（図８Ａ及び図８Ｂ参照）。その結果、端子２００の第２部２２０のインピーダンスを上昇させることができる。
【０１００】
なお、同軸コネクタＣ２は、同軸コネクタＣ１の（１−４）、（１−５）及び（１−６）と同様の技術的特徴及び効果を奏する。
【実施例３】
【０１０１】
以下、本発明の実施例３及びその第１設計変更例を含む複数の実施例に係る同軸コネクタＣ３について、図９Ａ及び図９Ｂを参照しつつ説明する。図９Ａには、実施例３の同軸コネクタＣ３が示されており、図９Ｂには、実施例３の同軸コネクタＣ３の第１設計変更例が示されている。図９Ａ及び図９Ｂには、Ｙ−Ｙ’方向及びＸ−Ｘ’方向が、同軸コネクタＣ１と同様に示されている。図９Ａ及び図９Ｂでは、ボディ３００が図示省略されているため、ボディ３００の各構成要素については、図１Ａ〜図３Ｂを借りて参照する。また、Ｚ−Ｚ’方向については、図２Ａ、図２Ｃ及び図２Ｄ〜図３Ｂを借りて参照する。
【０１０２】
同軸コネクタＣ３は、インピーダンス調整部２３０が、第１調整部２３１を有しておらず、第２調整部２３２を有している点で、同軸コネクタＣ１と相違する以外、上記何れかの態様の同軸コネクタＣ１と同様の構成である。以下、その相違点についてのみ詳しく説明し、同軸コネクタＣ３の説明のうち、同軸コネクタＣ１と重複する説明については省略する。
【０１０３】
第２調整部２３２は、端子２００の第１部２１０と第２部２２０との間に設けられている。第２調整部２３２は端子２００の直後部を有している。第２調整部２３２は、上記（ｆ）〜（ｊ）の態様を除く上記した何れかの態様の第２調整部２３２と同様の構成とすることが可能である。この第２調整部２３２は、例えば、以下の（ｋ）〜（ｏ）の何れかの構成を更に有していても良い。但し、（ｍ）、（ｎ）又は（ｏ）の場合、第２調整部２３２のＸ−Ｘ’方向の寸法が端子２００の第２部２２０のＸ−Ｘ’方向の寸法よりも大きい。
【０１０４】
（ｋ）第２調整部２３２は、略六角形であって、台形状のＹ方向側の第１端部と、この第１端部からＹ’方向に延びた矩形状の第２端部を有している。第１端部のＸ−Ｘ’方向の寸法がＹ’方向にいくにしたがって漸次拡大している。第１端部のＹ−Ｙ’方向の寸法は、任意に設定できる。第１端部のＹ−Ｙ’方向の寸法が長くなるほど、第１端部の前記直交方向の両端部の傾斜角が緩やかになる。第２端部のＸ−Ｘ’方向の寸法は、そのＹ−Ｙ’方向の全長において略均一である。この（ｋ）の場合、第２調整部２３２の第１端部のＹ方向側の端部を除く部分のＸ−Ｘ’方向の寸法が、端子２００の第１部２１０のＸ−Ｘ’方向の寸法よりも大きい。又は、第２調整部２３２のＹ−Ｙ’方向の全ての部分のＸ−Ｘ’方向の寸法が、端子２００の第１部２１０のＸ−Ｘ’方向の寸法よりも大きい。
【０１０５】
（ｌ）第２調整部２３２は、略六角形であって、矩形状のＹ方向側の第１端部と、この第１端部からＹ’方向に延びた台形状の第２端部を有している。第２端部のＸ−Ｘ’方向がＹ’方向にいくにしたがって漸次縮小している。第２端部のＹ−Ｙ’方向の寸法は、任意に設定できる。第２端部のＹ−Ｙ’方向の寸法が長くなるほど、第２端部のＸ−Ｘ’方向の両端部の傾斜角が緩やかになる。第１端部のＸ−Ｘ’方向の寸法は、そのＹ−Ｙ’方向の全長において略均一である。この（ｌ）の場合、第２調整部２３２の第２端部のＹ’方向側の端部を除く部分のＸ−Ｘ’方向の寸法が、端子２００の第１部２１０のＸ−Ｘ’方向の寸法よりも大きい。又は、第２調整部２３２のＹ−Ｙ’方向の全ての部分のＸ−Ｘ’方向の寸法が、端子２００の第１部２１０のＸ−Ｘ’方向の寸法よりも大きい。
【０１０６】
（ｍ）第２調整部２３２は、略六角形であって、台形状のＹ方向側の第１端部と、この第１端部からＹ’方向に延びた台形状の第２端部を有している。第１端部は、（ｋ）の上記何れかの態様の第１端部と同様の構成とすることができ、第２端部は、（ｌ）の上記何れかの態様の第２端部と同様の構成とすることができる。この（ｍ）の場合、第２調整部２３２の第１端部のＹ方向側の端部及び／又は第２端部のＹ’方向側の端部を除く部分のＸ−Ｘ’方向の寸法が、端子２００の第１部２１０のＸ−Ｘ’方向の寸法よりも大きい。又は、第２調整部２３２のＹ−Ｙ’方向の全ての部分のＸ−Ｘ’方向の寸法が、端子２００の第１部２１０のＸ−Ｘ’方向の寸法よりも大きい。
【０１０７】
（ｎ）第２調整部２３２は、略八角形であって、台形状のＹ方向側の第１端部と、台形状のＹ’方向側の第２端部と、第１端部から第２端部へ延びた中間部とを有している（図９Ａ及び図９Ｂ参照）。第１端部は、（ｆ）の上記何れかの態様の第１端部と同様の構成とすることができ、第２端部は、（ｇ）の上記何れかの態様の第２端部と同様の構成とすることができる。中間部のＸ−Ｘ’方向は、そのＹ−Ｙ’方向の全長において略均一である。この（ｎ）の場合、第２調整部２３２の第１端部のＹ方向側の端部及び／又は第２端部のＹ’方向側の端部を除く部分のＸ−Ｘ’方向の寸法が、端子２００の第１部２１０のＸ−Ｘ’方向の寸法よりも大きい。又は、第２調整部２３２のＹ−Ｙ’方向の全ての部分のＸ−Ｘ’方向の寸法が、端子２００の第１部２１０のＸ−Ｘ’方向の寸法よりも大きい。
【０１０８】
（ｏ）第２調整部２３２のＸ−Ｘ’方向の寸法は、その全長において略均一とすることが可能である。この（ｏ）の場合、第２調整部２３２のＹ−Ｙ’方向の全ての部分のＸ−Ｘ’方向の寸法が、端子２００の第１部２１０のＸ−Ｘ’方向の寸法よりも大きい。
【０１０９】
第２調整部２３２のＺ−Ｚ’方向の寸法は、第２部２２０のＺ−Ｚ’方向の寸法と同じとしても良いが、これに限定されるものではない。
【０１１０】
第２調整部２３２は、折り曲げ部２３３を有していても良いし、有しておらず、Ｙ−Ｙ’方向においてストレートに延びていても良い。
【０１１１】
グランド部１２０ｃが設けられている場合、第３保持部３１３内には、グランド部１２０ａのＹ方向側の部分、グランド部１２０ｂのＹ方向側の部分、グランド部１２０ｃのＹ方向側の部分、第２調整部２３２及び端子２００の第２部２２０のＹ方向側の部分が埋め込まれている。
グランド部１２０ｃが設けられていない場合、第３保持部３１３内には、グランド部１２０ａのＹ方向側の部分、グランド部１２０ｂのＹ方向側の部分、第２調整部２３２及び端子２００の第２部２２０のＹ方向側の部分が埋め込まれている。
【０１１２】
以上のような同軸コネクタＣ３による場合、（３−１）同軸コネクタＣ１と同様に、同軸コネクタＣ１と同様の要因で、端子２００の第２調整部２３２の直後部のインピーダンスが高くなる要因を有しているが、同軸コネクタＣ３の場合、以下の通り、端子２００の第２調整部２３２の直後部のインピーダンスを低下させることができる。
第２調整部２３２のＹ−Ｙ’方向における少なくとも一部のＸ−Ｘ’方向の寸法は、端子２００の第１部２１０のＸ−Ｘ’方向の寸法よりも大きく、Ｘ−Ｘ’方向における第２調整部２３２の前記少なくとも一部とグランド部１２０ａとの間の距離Ｄ５及びＸ−Ｘ’方向における第２調整部２３２の前記少なくとも一部とグランド部１２０ｂとの間の距離Ｄ６が、Ｘ−Ｘ’方向における第１部２１０と第１グランド導体部１１０との間の距離Ｄ２よりも近いため、直後部を有する第２調整部２３２のインピーダンスを低下させることができる。この場合、第２調整部２３２のＹ−Ｙ’方向の寸法及び／又は第２調整部２３２の前記少なくとも一部のＸ−Ｘ’方向の寸法を大きくすることによって、端子２００の第２調整部２３２の直後部のインピーダンスを下げることができ、第２調整部２３２のＹ−Ｙ’方向の寸法及び／又は第２調整部２３２の前記少なくとも一部のＸ−Ｘ’方向の寸法を小さくすることによって、端子２００の第２調整部２３２の直後部のインピーダンスを上昇させることができる。換言すると、端子２００の直後部のインピーダンスをどの程度低下させるかに応じて、第２調整部２３２のＹ−Ｙ’方向の寸法及び／又は第２調整部２３２の前記少なくとも一部のＸ−Ｘ’方向の寸法を適宜調整し設定すると良い。
【０１１３】
（３−２）第２調整部２３２のＹ方向側の第１端部のＸ−Ｘ’方向の寸法がＹ’方向にいくにしたがって漸次拡大している場合、第２調整部２３２のＸ−Ｘ’方向の寸法が緩やかに変化するため、第２調整部２３２の第１端部のインピーダンスがＹ’方向にいくにしたがって緩やかに低下する。その結果、第２調整部２３２の第１端部のインピーダンスの急な低下が抑制される。第２調整部２３１の第１端部のＹ−Ｙ’方向の寸法を大きくすることによって、第２調整部２３２の第１端部のインピーダンスの低下を更に緩やかにすることができる。第２調整部２３２のＹ’方向側の第２端部のＸ−Ｘ’方向の寸法がＹ’方向にいくにしたがって漸次縮小している場合、第２調整部２３２の第２端部のＸ−Ｘ’方向の寸法が緩やかに変化するため、第２調整部２３２の第２端部のインピーダンスが緩やかに変化する。よって、第２調整部２３２の第２端部から端子２００の第２部２２０にかけてインピーダンスの急な変化が抑制される。第２調整部２３２の第２端部のＹ−Ｙ’方向の寸法を大きくすることによって、第２調整部２３２の第２端部のインピーダンスの変化を更に緩やかにすることができる。
【０１１４】
（３−３）グランド部１２０ｃが設けられている場合、端子２００の第２調整部２３２及び第２部２２０は、グランド部１２０ｃに対してＺ方向側に間隔をあけて配置されている。この構成によって、第２調整部２３２及び第２部２２０のインピーダンスを低下させることができる。少なくとも一つの連結部１３０が上記（１）の構成である場合、端子２００の第２調整部２３２及び第２部２２０は、連結部１３０及びグランド部１２０ｃに対してＺ方向側に間隔をあけて配置されている。この構成によっても、第２調整部２３２及び第２部２２０のインピーダンスを更に低下させることができる。
何れの場合も、第２調整部２３２がＺ’方向側に折り曲げられている場合、端子２００の第２調整部２３２及び第２部２２０と連結部１３０及びグランド部１２０ｃとの間の距離を近づけることができる。この構成によっても、第２調整部２３２及び第２部２２０のインピーダンスを更に低下させることができる。
【０１１５】
（３−４）同軸コネクタＣ３内の内的要因（例えば、第２調整部２３２がＺ’方向側に折り曲げられ、第２部２２０がグランド部１２０ｃの近くに配置されていること）及び／又は同軸コネクタＣ３の外的要因によって、端子２００の第２部２２０のインピーダンスが低くなり過ぎる場合がある。この場合、以下の構成を採用することによって、端子２００の第２部２２０のインピーダンスを上昇させることができる。端子２００の第２部２２０のＹ−Ｙ’方向の少なくとも一部のＸ−Ｘ’方向の寸法が、第２調整部２３２のＸ−Ｘ’方向の寸法よりも小さくすることによって、Ｘ−Ｘ’方向における端子２００の第２部２２０の少なくとも一部とグランド部１２０ａとの間の距離Ｄ３及びＸ−Ｘ’方向における端子２００の第２部２２０の少なくとも一部とグランド部１２０ｂとの間の距離Ｄ４を大きくすることができる。その結果、端子２００の第２部２２０のインピーダンスを上昇させることができる。
【０１１６】
なお、同軸コネクタＣ３は、同軸コネクタＣ１の（１−４）、（１−５）及び（１−６）と同様の技術的特徴及び効果を奏する。
【０１１７】
なお、上記した同軸コネクタ及び電子部品モジュールは、上記実施例に限定されるものではなく、特許請求の範囲の記載範囲において任意に設計変更することが可能である。以下、詳しく述べる。
【０１１８】
モジュールＭは、同軸コネクタＣ１に代えて、同軸コネクタＣ２又は同軸コネクタＣ３を備えた構成とすることも可能である。
【０１１９】
上記実施例では、同軸コネクタＣ１のＹ方向側の部分が同軸線路となっており、同軸コネクタＣ１のＹ’方向側の部分がコプレーナ線路となっているとしたが、これに限定されるものではない。例えば、以下の同軸コネクタＣ４又は同軸コネクタＣ５の通りの構成とすることが可能である。
【０１２０】
同軸コネクタＣ４は、同軸コネクタＣ１〜Ｃ３の第２設計変更例であって、同軸コネクタＣ４のＹ’方向側の部分がコプレーナ線路及びマイクロストリップ線路、又はコプレーナ線路ではなく、ストリップ線路で構成されている。この第２設計変更例では、Ｙ−Ｙ’方向、Ｘ−Ｘ’方向及びＺ−Ｚ’方向が、同軸コネクタＣ１〜Ｃ３と同様に示されているが、Ｚ−Ｚ’方向は、特許請求の範囲の第２方向に相当し、Ｘ−Ｘ’方向が特許請求の範囲の第３方向に相当する。図１０Ａ及び図１０Ｂには、同軸コネクタＣ１の第２設計変更例である同軸コネクタＣ４が示されている。
【０１２１】
同軸コネクタＣ４が同軸コネクタＣ１〜Ｃ３の第２設計変更例の何れである場合であっても、ストリップ線路及び端子２００’の第２部２２０’の構成は次の通り共通している。ストリップ線路は、端子２００’の第２部２２０’と、シェル１００’の第２グランド導体部１２０’の第１グランド部１２０ａ’（以下、単にグランド部１２０ａ’と称する。）及び第２グランド部１２０ｂ’（以下、単にグランド部１２０ｂ’と称する。）とで構成されている。グランド部１２０ａ’及びグランド部１２０ｂ’は、Ｘ−Ｘ’方向及びＹ−Ｙ’方向に延びた板であって、Ｘ−Ｘ’方向ではなく、Ｚ−Ｚ’方向において間隔をあけて配置されている。グランド部１２０ａ’及びグランド部１２０ｂ’のＸ−Ｘ’方向の寸法は、端子２００’の第２部２２０’のＸ−Ｘ’方向の寸法よりも大きい。第２グランド導体部１２０’のグランド部１２０ｃは省略されている。端子２００’の第２部２２０’は、Ｙ−Ｙ’方向にストレートに延びている。端子２００’の第２部２２０’は、グランド部１２０ａ’とグランド部１２０ｂ’との間に、グランド部１２０ａ’及びグランド部１２０ｂ’に対してＺ−Ｚ’方向に間隔をあけて配置されている。
【０１２２】
同軸コネクタＣ４が同軸コネクタＣ１の第２設計変更例である場合（図１０Ａ及び図１０Ｂ参照）、端子２００’が第２調整部２３２を有しておらず、第１調整部２３１を有している。端子２００’の第１調整部２３１は、同軸コネクタＣ１の端子２００の第１調整部２３１と同様の構成とすることが可能である。図１０Ａ及び図１０Ｂでは、上記直交方向は、Ｘ−Ｘ’方向であるが、これに限定されるものではなく、Ｚ−Ｚ’方向、又は、Ｘ−Ｘ’方向及びＺ−Ｚ’方向の成分を有する方向とすることが可能である。
【０１２３】
同軸コネクタＣ４が同軸コネクタＣ２の第２設計変更例である場合（図示なし）、端子２００’が第１調整部及び第２調整部を有している。第１調整部は、同軸コネクタＣ２の端子２００の第１調整部２３１と同様の構成とすることが可能である。ここでも、上記直交方向は、Ｘ−Ｘ’方向とすると良い。第２調整部は、グランド部１２０ａ’とグランド部１２０ｂ’との間に、グランド部１２０ａ’及びグランド部１２０ｂ’に対してＺ−Ｚ’方向に間隔をあけて配置されている以外、同軸コネクタＣ２の端子２００の第２調整部２３２と同様の構成とすることが可能である。この場合も、第１調整部及び第２調整部のＹ−Ｙ’方向の少なくとも一部のＸ−Ｘ’方向の寸法は、端子２００’の第１部２１０のＸ−Ｘ’方向の寸法よりも大きい。
【０１２４】
同軸コネクタＣ４が同軸コネクタＣ３の第２設計変更例である場合（図示なし）、端子２００’が第１調整部２３１を有しておらず、第２調整部を有している。第２調整部は、グランド部１２０ａ’とグランド部１２０ｂ’との間に、グランド部１２０ａ’及びグランド部１２０ｂ’に対してＺ−Ｚ’方向に間隔をあけて配置されている以外、同軸コネクタＣ３の端子２００の第２調整部２３２と同様の構成とすることが可能である。この場合も、第２調整部のＹ−Ｙ’方向の少なくとも一部のＸ−Ｘ’方向の寸法は、端子２００’の第１部２１０のＸ−Ｘ’方向の寸法よりも大きい。
【０１２５】
ボディ３００’は、支持台３３０が省略され、保持部３１３’内に、第２部２２０’、グランド部１２０ａ’及びグランド部１２０ｂ’のＹ’方向の端部を除いて埋め込まれている。
【０１２６】
上記した第２設計変更例の第１調整部及び／又は第２調整部のＸ−Ｘ’方向の寸法は、第２部２２０’のＹ−Ｙ’方向の少なくとも一部のＸ−Ｘ’方向の寸法よりも大きくすることが可能である。
【０１２７】
なお、同軸コネクタＣ４の上記以外の構成は、同軸コネクタＣ１〜Ｃ３の上記何れかの構成と同様の構成とすることが可能である。
【０１２８】
同軸コネクタＣ５は、同軸コネクタＣ１〜Ｃ３の第３設計変更例であって、同軸コネクタＣ５のＹ’方向側の部分がコプレーナ線路及びマイクロストリップ線路、又はコプレーナ線路ではなく、マイクロストリップ線路で構成されている。この第３設計変更例では、Ｙ−Ｙ’方向、Ｘ−Ｘ’方向及びＺ−Ｚ’方向が、同軸コネクタＣ１〜Ｃ３と同様に示されているが、Ｚ−Ｚ’方向は、特許請求の範囲の第２方向に相当し、Ｘ−Ｘ’方向が特許請求の範囲の第３方向に相当する。図１１Ａ及び図１１Ｂには、同軸コネクタＣ１の第３設計変更例である同軸コネクタＣ５が示されている。
【０１２９】
同軸コネクタＣ５が同軸コネクタＣ１〜Ｃ３の第３設計変更例の何れである場合であっても、マイクロストリップ線路及び端子２００’’の第２部２２０’’の構成は次の通り共通している。マイクロストリップ線路は、端子２００’’の第２部２２０’’及びシェル１００’’の第２グランド導体部１２０’’の第１グランド部１２０ａ’’（以下、単にグランド部１２０ａ’’と称する。）で構成されている。グランド部１２０ａ’’は、Ｘ−Ｘ’方向及びＹ−Ｙ’方向に延びた板であって、端子２００’’の第２部２２０’’に対してＺ’方向側に間隔をあけて配置されている。グランド部１２０ａ’’のＸ−Ｘ’方向の寸法は、端子２００’’の第２部２２０’’のＸ−Ｘ’方向の寸法よりも大きい。第２グランド導体部１２０’の及び第２グランド部及び第３グランド部が省略されている。端子２００’’の第２部２２０’’は、端子２００の何れかの態様の第２部２２０と同様の構成とすることが可能である。
【０１３０】
同軸コネクタＣ５が同軸コネクタＣ１の第３設計変更例である場合（図１１Ａ及び図１１Ｂ参照）、端子２００’’が第２調整部２３２を有しておらず、第１調整部２３１を有している。端子２００’’の第１調整部２３１は、同軸コネクタＣ１の端子２００の第１調整部２３１と同様の構成とすることが可能である。図１１Ａ及び図１１Ｂでは、上記直交方向は、Ｘ−Ｘ’方向であるが、これに限定されるものではなく、Ｚ−Ｚ’方向、又は、Ｘ−Ｘ’方向及びＺ−Ｚ’方向の成分を有する方向とすることが可能である。
【０１３１】
同軸コネクタＣ５が同軸コネクタＣ２の第３設計変更例である場合（図示なし）、端子２００’’が第１調整部及び第２調整部２３２を有している。端子２００’’の第１調整部は、同軸コネクタＣ２の端子２００の第１調整部２３１と同様の構成とすることが可能である。ここでも、上記直交方向は、Ｘ−Ｘ’方向とすると良い。第２調整部は、グランド部１２０ａ’’に対してＺ方向側に間隔をあけて配置されている以外、同軸コネクタＣ２の端子２００の第２調整部２３２と同様の構成とすることが可能である。この場合も、第１調整部及び第２調整部のＹ−Ｙ’方向の少なくとも一部のＸ−Ｘ’方向の寸法は、端子２００’’の第１部２１０のＸ−Ｘ’方向の寸法よりも大きい。
【０１３２】
同軸コネクタＣ５が同軸コネクタＣ３の第３設計変更例である場合（図示なし）、端子２００’’が第１調整部２３１を有しておらず、第２調整部を有している。第２調整部は、グランド部１２０ａ’’に対してＺ方向側に間隔をあけて配置されている以外、同軸コネクタＣ３の端子２００の第２調整部２３２と同様の構成とすることが可能である。この場合も、第２調整部のＹ−Ｙ’方向の少なくとも一部のＸ−Ｘ’方向の寸法は、端子２００’’の第１部２１０のＸ−Ｘ’方向の寸法よりも大きい。
【０１３３】
上記した第３設計変更例の第１調整部及び／又は第２調整部のＸ−Ｘ’方向の寸法は、第２部２２０’’のＹ−Ｙ’方向の少なくとも一部のＸ−Ｘ’方向の寸法よりも大きくすることが可能である。
【０１３４】
なお、同軸コネクタＣ５の上記以外の構成は、同軸コネクタＣ１〜Ｃ３の上記何れかの構成と同様の構成とすることが可能である。
【０１３５】
上記した第２及び３設計変更例の第１調整部及び／又は第２調整部は、そのＹ−Ｙ’方向の少なくとも一部のＸ−Ｘ’方向の寸法ではなく、そのＹ−Ｙ’方向の少なくとも一部のＺ−Ｚ’方向の寸法を、端子の第１部のＺ−Ｚ’方向よりも大きくすることが可能である。この場合、第１調整部及び／又は第２調整部の少なくとも一部のＺ−Ｚ’方向の寸法は、端子第２部のＹ−Ｙ’方向の少なくとも一部のＺ−Ｚ’方向の寸法よりも大きくすることが可能である。
【０１３６】
なお、上記実施例の各態様及び設計変形例における同軸コネクタ及び電子部品モジュールの各構成要素を構成する素材、形状、寸法、数及び配置等はその一例を説明したものであって、同様の機能を実現し得る限り任意に設計変更することが可能である。
【符号の説明】
【０１３７】
Ｍ：モジュール
Ｃ１、Ｃ２、Ｃ３：同軸コネクタ
１００：シェル
１１０：第１グランド導体部
１１１：基端部
１２０：第２グランド導体部
１２０ａ：第１グランド部
１２１ａ：第１ベース板
１２１ａ１：第１面
１２２ａ：折り返し板
１２２ａ１：第２面
１２０ｂ：第２グランド部
１２１ｂ：第２ベース板
１２１ｂ１：第１面
１２２ｂ：折り返し板
１２２ｂ１：第２面
１２０ｃ：第３グランド部
１２１ｃ：第１端部
１２２ｃ：第２端部
１２３ｃ：貫通孔
１３０：少なくとも一つの連結部
２００：端子
２１０：第１部
２２０：第２部
２２１：幅狭部
２２２：幅広部
２３０：インピーダンス調整部
２３１：第１インピーダンス調整部
２３２：第２インピーダンス調整部
２３３：折り曲げ部
３００：ボディ
３１０：保持部
３１１：第１保持部
３１２：第２保持部
３１３：第３保持部
３２０：筒部
３２１：外側接続孔
３３０：支持台
３３１：開口
１０：第２コネクタ
２０：電子部品
３０：基板
４０：筐体
【図１Ａ】
2020184458.tif 000003
【図１Ｂ】
2020184458.tif 000004
【図１Ｃ】
2020184458.tif 000005
【図２Ａ】
2020184458.tif 000006
【図２Ｂ】
2020184458.tif 000007
【図２Ｃ】
2020184458.tif 000008
【図２Ｄ】
2020184458.tif 000009
【図２Ｅ】
2020184458.tif 000010
【図３Ａ】
2020184458.tif 000011
【図３Ｂ】
2020184458.tif 000012
【図４Ａ】
2020184458.tif 000013
【図４Ｂ】
2020184458.tif 000014
【図５Ａ】
2020184458.tif 000015
【図５Ｂ】
2020184458.tif 000016
【図６】
2020184458.tif 000017
【図７】
2020184458.tif 000018
【図８Ａ】
2020184458.tif 000019
【図８Ｂ】
2020184458.tif 000020
【図９Ａ】
2020184458.tif 000021
【図９Ｂ】
2020184458.tif 000022
【図１０Ａ】
2020184458.tif 000023
【図１０Ｂ】
2020184458.tif 000024
【図１１Ａ】
2020184458.tif 000025
【図１１Ｂ】
2020184458.tif 000026